(57)【要約】  ユーザインタフェース画面間をナビゲートする方法であって、第１および第２の事前設定されたユーザインタフェース画面を含む複数のユーザインタフェース画面の中で第１および第２の事前設定されたユーザインタフェース画面とは異なる第３のユーザインタフェース画面を表示することと、第３のユーザインタフェース画面を表示している間にタッチセンシティブディスプレイ上の指ジェスチャを検出することと、そして、タッチセンシティブディスプレイ上の指ジェスチャを検出するのに応じて、検出された指ジェスチャが第１の指ジェスチャである場合に第３のユーザインタフェース画面の表示を第１の事前設定されたユーザインタフェース画面の表示と置換することと、検出された指ジェスチャが第１の指ジェスチャの逆である第２の指ジェスチャである場合に第３のユーザインタフェース画面の表示を第２の事前設定されたユーザインタフェース画面の表示と置換することとを含む方法。
2013535719.tif 000002
【特許請求の範囲】
【請求項１】
携帯用電子デバイスであって、
第１の事前設定されたユーザインタフェース画面と第２の事前設定されたユーザインタフェース画面とを含む複数のユーザインタフェース画面を個別に表示するように構成されたタッチセンシティブディスプレイと、
１以上のプロセッサと、
メモリと、
前記メモリに格納され前記１以上のプロセッサによって実行されるように構成された１以上のプログラムと、
を備え、
前記１以上のプログラムは、
前記複数のユーザインタフェース画面の中の第３のユーザインタフェース画面を表示する命令であって、前記第３のユーザインタフェース画面は、前記第１の事前設定されたユーザインタフェース画面及び前記第２の事前設定されたユーザインタフェース画面とは異なる、命令と、
前記第３のユーザインタフェース画面を表示している間に前記タッチセンシティブディスプレイ上で指ジェスチャを検出する命令と、
前記タッチセンシティブディスプレイ上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換し、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する
命令と、
を含む
ことを特徴とする携帯用電子デバイス。
【請求項２】
前記第１の事前設定されたユーザインタフェース画面は、ホーム画面である
ことを特徴とする請求項１に記載の携帯用電子デバイス。
【請求項３】
前記第２の事前設定されたユーザインタフェース画面は、メディア再生画面である
ことを特徴とする請求項１に記載の携帯用電子デバイス。
【請求項４】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にある
ことを特徴とする請求項１に記載の携帯用電子デバイス。
【請求項５】
前記タッチセンシティブディスプレイ上で前記指ジェスチャを検出するのに応じて、前記検出された指ジェスチャが前記第１の指ジェスチャ及び前記第２の指ジェスチャとは異なる第３の指ジェスチャである場合、前記第３のユーザインタフェース画面の表示を前記複数のユーザインタフェース画面の中の第４のユーザインタフェース画面の表示で置換する命令であって、前記第４のユーザインタフェース画面は、前記第１の事前設定されたユーザインタフェース画面及び前記第２の事前設定されたユーザインタフェース画面とは異なる、命令を含む
ことを特徴とする請求項１に記載の携帯用電子デバイス。
【請求項６】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にあり、
前記第４のユーザインタフェース画面は、前記複数の階層的に順序付けられたユーザインタフェース画面の中の前記第３のユーザインタフェース画面に階層的に隣接している
ことを特徴とする請求項５に記載の携帯用電子デバイス。
【請求項７】
前記第３の指ジェスチャは、Ｍ本指ジェスチャであり、前記第１の指ジェスチャ及び前記第２の指ジェスチャは、Ｎ本指ジェスチャであり、Ｍは整数であり、Ｎは、Ｍ以外の整数である
ことを特徴とする請求項５に記載の携帯用電子デバイス。
【請求項８】
前記第３の指ジェスチャは、１本指ジェスチャであり、前記第１の指ジェスチャ及び第２の指ジェスチャは、２本指ジェスチャである
ことを特徴とする請求項５に記載の携帯用電子デバイス。
【請求項９】
前記第１の指ジェスチャは、第１の方向における２本指のスワイプジェスチャであり、
前記第２の指ジェスチャは、前記第１の方向と逆の方向における２本指のスワイプジェスチャであり、
前記第３の指ジェスチャは、１本指ジェスチャである
ことを特徴とする請求項５に記載の携帯用電子デバイス。
【請求項１０】
前記第１の指ジェスチャを検出するのに応じて、前記第３のユーザインタフェース画面から前記第１の事前設定されたユーザインタフェース画面へと移行する第１のアニメーションを表示する命令と、
前記第２の指ジェスチャを検出するのに応じて、前記第３のユーザインタフェース画面から前記第２の事前設定されたユーザインタフェース画面へと移行する第２のアニメーションを表示する命令と、
を含むことを特徴とする請求項１に記載の携帯用電子デバイス。
【請求項１１】
前記第１のアニメーションは、前記第３のユーザインタフェース画面と前記第１の事前設定されたユーザインタフェース画面との間の階層的なパスに沿ったユーザインタフェース画面を含み、
前記第２のアニメーションは、前記第３のユーザインタフェース画面と前記第２の事前設定されたユーザインタフェース画面との間の階層的なパスに沿ったユーザインタフェース画面を含む
ことを特徴とする請求項１０に記載の携帯用電子デバイス。
【請求項１２】
前記第１の事前設定されたユーザインタフェース画面を表示する命令と、
前記第１の事前設定されたユーザインタフェース画面を表示している間に前記タッチセンシティブディスプレイ上で前記第２の指ジェスチャを検出する命令と、
前記第１の事前設定されたユーザインタフェース画面を表示している間に前記第２の指ジェスチャを検出するのに応じて、前記第１の事前設定されたユーザインタフェース画面の表示を前記第２の事前設定されたユーザインタフェース画面の表示で置換する命令と、
を含むことを特徴とする請求項１に記載の携帯用電子デバイス。
【請求項１３】
前記第１の事前設定されたユーザインタフェース画面を表示している間に前記第２の指ジェスチャを検出するのに応じて、前記第１の事前設定されたユーザインタフェース画面から前記第２の事前設定されたユーザインタフェース画面へと移行する第３のアニメーションを表示する命令を含む
ことを特徴とする請求項１２に記載の携帯用電子デバイス。
【請求項１４】
前記第３のアニメーションは、前記第１の事前設定されたユーザインタフェース画面と前記第２の事前設定されたユーザインタフェース画面との間の階層的なパスに沿ったユーザインタフェース画面を含む
ことを特徴とする請求項１３に記載の携帯用電子デバイス。
【請求項１５】
前記第２の事前設定されたユーザインタフェース画面を表示する命令と、
前記第２の事前設定されたユーザインタフェース画面を表示している間に前記タッチセンシティブディスプレイ上で前記第１の指ジェスチャを検出する命令と、
前記第２の事前設定されたユーザインタフェース画面を表示している間に前記第１の指ジェスチャを検出するのに応じて、前記第２の事前設定されたユーザインタフェース画面の表示を前記第１の事前設定されたユーザインタフェース画面の表示で置換する命令と、
を含むことを特徴とする請求項１に記載の携帯用電子デバイス。
【請求項１６】
前記第２の事前設定されたユーザインタフェース画面を表示している間に前記第１の指ジェスチャを検出するのに応じて、前記第２の事前設定されたユーザインタフェース画面から前記第１の事前設定されたユーザインタフェース画面へと移行する第４のアニメーションを表示する命令を含む
ことを特徴とする請求項１５に記載の携帯用電子デバイス。
【請求項１７】
前記第４のアニメーションは、前記第２の事前設定されたユーザインタフェース画面と前記第１の事前設定されたユーザインタフェース画面との間の階層的なパスに沿ったユーザインタフェース画面を含む
ことを特徴とする請求項１６に記載の携帯用電子デバイス。
【請求項１８】
第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスにおいて、
前記複数のユーザインタフェース画面の中の第３のユーザインタフェース画面を表示するステップであって、前記第３のユーザインタフェース画面は、前記第１の事前設定されたユーザインタフェース画面及び前記第２の事前設定されたユーザインタフェース画面とは異なる、ステップと、
前記第３のユーザインタフェース画面を表示している間に前記タッチセンシティブディスプレイ上で指ジェスチャを検出するステップと、
前記タッチセンシティブディスプレイ上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換し、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する
ステップと、
を備えることを特徴とする方法。
【請求項１９】
タッチセンシティブディスプレイと、メモリと、前記メモリに格納された１以上のプログラムを実行する１以上のプロセッサと、を備える携帯用電子デバイス上のグラフィカルユーザインタフェースであって、
第１の事前設定されたユーザインタフェース画面、第２の事前設定されたユーザインタフェース画面、及び、前記第１の事前設定されたユーザインタフェース画面及び前記第２の事前設定されたユーザインタフェース画面とは異なる第３のユーザインタフェース画面を含む、個別に表示される複数のユーザインタフェース画面を含み、
前記前記第３のユーザインタフェース画面が表示されている間に前記タッチセンシティブディスプレイ上で指ジェスチャが検出され、
前記前記第３のユーザインタフェース画面が表示されている間に前記タッチセンシティブディスプレイ上で前記指ジェスチャが検出されるのに応じて、
前記検出された指ジェスチャが第１の指ジェスチャである場合、前記第３のユーザインタフェース画面の表示が前記第１の事前設定されたユーザインタフェース画面の表示で置換され、
前記検出された指ジェスチャが前記第１の指ジェスチャの逆である第２の指ジェスチャである場合、前記第３のユーザインタフェース画面の表示が前記第２の事前設定されたユーザインタフェース画面の表示で置換される
ことを特徴とするグラフィカルユーザインタフェース。
【請求項２０】
１以上のプログラムを格納したコンピュータ可読記録媒体であって、前記１以上のプログラムは、第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスによって実行された場合に、前記携帯用電子デバイスに、
前記複数のユーザインタフェース画面の中の第３のユーザインタフェース画面を表示させる命令であって、前記第３のユーザインタフェース画面は、前記第１の事前設定されたユーザインタフェース画面及び前記第２の事前設定されたユーザインタフェース画面とは異なる、命令と、
前記第３のユーザインタフェース画面を表示している間に前記タッチセンシティブディスプレイ上で指ジェスチャを検出させる命令と、
前記タッチセンシティブディスプレイ上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換させ、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換させる
命令と、
を含む
ことを特徴とするコンピュータ可読記録媒体。
【請求項２１】
電子デバイスであって、
第１の事前設定されたユーザインタフェース画面と第２の事前設定されたユーザインタフェース画面とを含む複数のユーザインタフェース画面を個別に表示し、
指ジェスチャを検出する
ように構成されたタッチセンシティブディスプレイユニットと、
前記タッチセンシティブディスプレイユニットに結合され、
前記複数のユーザインタフェース画面の中の、前記第１の事前設定されたユーザインタフェース画面及び前記第２の事前設定されたユーザインタフェース画面とは異なる第３のユーザインタフェース画面の表示を有効化し、
前記第３のユーザインタフェース画面を表示している間に前記タッチセンシティブディスプレイユニット上で指ジェスチャを検出し、
前記タッチセンシティブディスプレイユニット上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換し、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する
ように構成された処理ユニットと、
を備えることを特徴とする電子デバイス。
【請求項２２】
前記第１の事前設定されたユーザインタフェース画面は、ホーム画面である
ことを特徴とする請求項２１に記載の電子デバイス。
【請求項２３】
前記第２の事前設定されたユーザインタフェース画面は、メディア再生画面である
ことを特徴とする請求項２１に記載の電子デバイス。
【請求項２４】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にある
ことを特徴とする請求項２１に記載の電子デバイス。
【請求項２５】
前記処理ユニットは、
前記タッチセンシティブディスプレイユニット上で前記指ジェスチャを検出するのに応じて、前記検出された指ジェスチャが前記第１の指ジェスチャ及び前記第２の指ジェスチャとは異なる第３の指ジェスチャである場合、前記第３のユーザインタフェース画面の表示を、前記複数のユーザインタフェース画面の中の、前記第１の事前設定されたユーザインタフェース画面及び前記第２の事前設定されたユーザインタフェース画面とは異なる第４のユーザインタフェース画面の表示で置換するように構成される
ことを特徴とする請求項２１に記載の電子デバイス。
【請求項２６】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にあり、
前記第４のユーザインタフェース画面は、前記複数の階層的に順序付けられたユーザインタフェース画面の中の前記第３のユーザインタフェース画面に階層的に隣接している
ことを特徴とする請求項２５に記載の電子デバイス。
【請求項２７】
前記第３の指ジェスチャは、Ｍ本指ジェスチャであり、前記第１の指ジェスチャ及び前記第２の指ジェスチャは、Ｎ本指ジェスチャであり、Ｍは整数であり、Ｎは、Ｍ以外の整数である
ことを特徴とする請求項２５に記載の電子デバイス。
【請求項２８】
前記第３の指ジェスチャは、１本指ジェスチャであり、前記第１の指ジェスチャ及び第２の指ジェスチャは、２本指ジェスチャである
ことを特徴とする請求項２５に記載の電子デバイス。
【請求項２９】
前記第１の指ジェスチャは、第１の方向における２本指のスワイプジェスチャであり、
前記第２の指ジェスチャは、前記第１の方向と逆の方向における２本指のスワイプジェスチャであり、
前記第３の指ジェスチャは、１本指ジェスチャである
ことを特徴とする請求項２５に記載の電子デバイス。
【請求項３０】
前記処理ユニットは、
前記第１の指ジェスチャを検出するのに応じて、前記第３のユーザインタフェース画面から前記第１の事前設定されたユーザインタフェース画面へと移行する第１のアニメーションの表示を有効化し、
前記第２の指ジェスチャを検出するのに応じて、前記第３のユーザインタフェース画面から前記第２の事前設定されたユーザインタフェース画面へと移行する第２のアニメーションの表示を有効化する
ように構成される
ことを特徴とする請求項２１に記載の電子デバイス。
【請求項３１】
前記第１のアニメーションは、前記第３のユーザインタフェース画面と前記第１の事前設定されたユーザインタフェース画面との間の階層的なパスに沿ったユーザインタフェース画面を含み、
前記第２のアニメーションは、前記第３のユーザインタフェース画面と前記第２の事前設定されたユーザインタフェース画面との間の階層的なパスに沿ったユーザインタフェース画面を含む
ことを特徴とする請求項３０に記載の電子デバイス。
【請求項３２】
前記処理ユニットは、
前記第１の事前設定されたユーザインタフェース画面の表示を有効化し、
前記第１の事前設定されたユーザインタフェース画面を表示している間に前記タッチセンシティブディスプレイユニット上で前記第２の指ジェスチャを検出し、
前記第１の事前設定されたユーザインタフェース画面を表示している間に前記第２の指ジェスチャを検出するのに応じて、前記第１の事前設定されたユーザインタフェース画面の表示を前記第２の事前設定されたユーザインタフェース画面の表示で置換する
ように構成される
ことを特徴とする請求項２１に記載の電子デバイス。
【請求項３３】
前記処理ユニットは、前記第１の事前設定されたユーザインタフェース画面を表示している間に前記第２の指ジェスチャを検出するのに応じて、前記第１の事前設定されたユーザインタフェース画面から前記第２の事前設定されたユーザインタフェース画面へと移行する第３のアニメーションの表示を有効化するように構成される
ことを特徴とする請求項３２に記載の電子デバイス。
【請求項３４】
前記第３のアニメーションは、前記第１の事前設定されたユーザインタフェース画面と前記第２の事前設定されたユーザインタフェース画面との間の階層的なパスに沿ったユーザインタフェース画面を含む
ことを特徴とする請求項３３に記載の電子デバイス。
【請求項３５】
前記処理ユニットは、
前記第２の事前設定されたユーザインタフェース画面の表示を有効化し、
前記第２の事前設定されたユーザインタフェース画面を表示している間に前記タッチセンシティブディスプレイユニット上で前記第１の指ジェスチャを検出し、
前記第２の事前設定されたユーザインタフェース画面を表示している間に前記第１の指ジェスチャを検出するのに応じて、前記第２の事前設定されたユーザインタフェース画面の表示を前記第１の事前設定されたユーザインタフェース画面の表示で置換する
ように構成される
ことを特徴とする請求項２１に記載の電子デバイス。
【請求項３６】
前記処理ユニットは、前記第２の事前設定されたユーザインタフェース画面を表示している間に前記第１の指ジェスチャを検出するのに応じて、前記第２の事前設定されたユーザインタフェース画面から前記第１の事前設定されたユーザインタフェース画面へと移行する第４のアニメーションの表示を有効化するように構成される
ことを特徴とする請求項３５に記載の電子デバイス。
【請求項３７】
前記第４のアニメーションは、前記第２の事前設定されたユーザインタフェース画面と前記第１の事前設定されたユーザインタフェース画面との間の階層的なパスに沿ったユーザインタフェース画面を含む
ことを特徴とする請求項３６に記載の電子デバイス。
【発明の詳細な説明】
【技術分野】
【０００１】
[0001]本発明は一般に、タッチセンシティブ表面を備えた電子デバイスに関するものであり、ユーザインタフェース画面間をナビゲートするためのタッチセンシティブ表面を備えた電子デバイスを含むけれども、それらに限定されない。
【背景技術】
【０００２】
[0002]近年、タッチセンシティブ表面をコンピュータおよびその他の電子コンピューティングデバイス用の入力デバイスとして用いることが大幅に増えている。典型的なタッチセンシティブ表面には、タッチパッドやタッチスクリーンディスプレイなどがある。そのような表面は、ディスプレイ上でユーザインタフェース内をナビゲートしたりユーザインタフェースオブジェクトをディスプレイ上で操作したりするのに広く用いられている。
【０００３】
[0003]しかし、ユーザインタフェース画面間をナビゲートするための既存の方法は面倒であり、効率が悪い。例えば、或るユーザインタフェース画面から別のユーザインタフェース画面まで一連の中間的なユーザインタフェース画面を経由してナビゲートすることは面倒であり、ユーザにとって認知上の重大な負担となる。加えて、既存の方法では、必要以上の時間がかかり、それによってエネルギを浪費させる。この後者の問題は、電池で動作するデバイスでは特に重要である。
【発明の概要】
【０００４】
[0004]従って、ユーザインタフェース画面間をナビゲートするためのより迅速かつより効率的な方法およびインタフェースを備えたコンピューティングデバイスの必要性がある。そのような方法およびインタフェースは、ユーザインタフェース画面間をナビゲートするための従来の方法を補完または置換しうる。そのような方法およびインタフェースは、ユーザにかかる認知上の負担を軽減し、より効率的なヒューマン・マシン・インタフェースを実現する。電池で動作するコンピューティングデバイスにとって、そのような方法およびインタフェースは、電力を節約し、次回の電池充電までの時間を増加させる。
【０００５】
[0005]タッチセンシティブ表面を備えたコンピューティングデバイス用のユーザインタフェースに関連する前述の欠点およびその他の問題が、開示されるデバイスによって軽減または解消される。一部の実施形態では、デバイスはデスクトップコンピュータである。一部の実施形態では、デバイスは携帯用である（例えば、ノートパソコン、タブレットコンピュータ、またはハンドヘルドデバイス）。一部の実施形態では、デバイスはタッチパッドを有する。一部の実施形態では、デバイスはタッチセンシティブディスプレイ（「タッチスクリーン」または「タッチスクリーンディスプレイ」としても知られる）を有する。一部の実施形態では、デバイスは、グラフィカルユーザインタフェース（ＧＵＩ）と、１つ以上のプロセッサと、メモリおよび１つ以上のモジュールと、プログラムまたは複数の機能を実行するためにメモリの中に記憶された命令の集合と、を有する。一部の実施形態では、ユーザは、主に、タッチセンシティブ表面上での指の接触およびジェスチャを通してＧＵＩと対話する。一部の実施形態では、機能には、画像編集と、描画と、プレゼンテーションと、ワードプロセッシングと、ウェブサイト作成と、ディスクオーサリングと、表計算シート作成と、ゲームをすることと、電話をすることと、テレビ会議をすることと、電子メールをすることと、インスタントメッセージングと、エクササイズ(workout)のサポートと、デジタル写真撮影と、デジタルビデオ撮影と、ウェブブラウジングと、デジタル音楽再生と、および／またはデジタルビデオ再生とが含まれうる。これらの機能を行うための実行可能な命令が、コンピュータ可読記憶媒体、または、１つ以上のプロセッサによる実行のために構成された、その他のコンピュータプログラム製品に含まれうる。
【０００６】
[0006]一部の実施形態によれば、第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスにおいて、方法が実行される。前記方法は、前記複数のユーザインタフェース画面の中の第３のユーザインタフェース画面を表示するステップであって、前記第３のユーザインタフェース画面は、前記第１の事前設定されたユーザインタフェース画面及び前記第２の事前設定されたユーザインタフェース画面とは異なる、ステップと、前記第３のユーザインタフェース画面を表示している間に前記タッチセンシティブディスプレイ上で指ジェスチャを検出するステップと、前記タッチセンシティブディスプレイ上で前記指ジェスチャを検出するのに応じて、前記検出された指ジェスチャが第１の指ジェスチャである場合、前記第３のユーザインタフェース画面の表示を前記第１の事前設定されたユーザインタフェース画面の表示で置換し、前記検出された指ジェスチャが前記第１の指ジェスチャの逆である第２の指ジェスチャである場合、前記第３のユーザインタフェース画面の表示を前記第２の事前設定されたユーザインタフェース画面の表示で置換するステップと、を備える。
【０００７】
[0007]一部の実施形態によれば、携帯用電子デバイスは、タッチセンシティブ表面ディスプレイと、１以上のプロセッサと、メモリと、１以上のプログラムと、を含む。前記タッチセンシティブディスプレイは、第１の事前設定されたユーザインタフェース画面と第２の事前設定されたユーザインタフェース画面とを含む複数のユーザインタフェース画面を個別に表示するように構成される。前記１以上のプログラムは、前記メモリに格納され、前記１以上のプロセッサによって実行されるように構成される。前記１以上のプログラムは、前記複数のユーザインタフェース画面の中の第３のユーザインタフェース画面を表示する命令であって、前記第３のユーザインタフェース画面は、前記第１の事前設定されたユーザインタフェース画面及び前記第２の事前設定されたユーザインタフェース画面とは異なる、命令と、前記第３のユーザインタフェース画面を表示している間に前記タッチセンシティブディスプレイ上で指ジェスチャを検出する命令と、前記タッチセンシティブディスプレイ上で前記指ジェスチャを検出するのに応じて、前記検出された指ジェスチャが第１の指ジェスチャである場合、前記第３のユーザインタフェース画面の表示を前記第１の事前設定されたユーザインタフェース画面の表示で置換し、前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する命令と、を含む。
【０００８】
[0008]一部の実施形態によれば、コンピュータ可読記録媒体は、第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスによって実行された場合に、前記携帯用電子デバイスに、前記複数のユーザインタフェース画面の中の第３のユーザインタフェース画面を表示させる命令であって、前記第３のユーザインタフェース画面は、前記第１の事前設定されたユーザインタフェース画面及び前記第２の事前設定されたユーザインタフェース画面とは異なる、命令と、前記第３のユーザインタフェース画面を表示している間に前記タッチセンシティブディスプレイ上で指ジェスチャを検出させる命令と、前記タッチセンシティブディスプレイ上で前記指ジェスチャを検出するのに応じて、前記検出された指ジェスチャが第１の指ジェスチャである場合、前記第３のユーザインタフェース画面の表示を前記第１の事前設定されたユーザインタフェース画面の表示で置換させ、前記検出された指ジェスチャが前記第１の指ジェスチャの逆である第２の指ジェスチャである場合、前記第３のユーザインタフェース画面の表示を前記第２の事前設定されたユーザインタフェース画面の表示で置換させる命令と、を含む。
【０００９】
[0009]一部の実施形態によれば、タッチセンシティブディスプレイと、メモリと、前記メモリに格納された１以上のプログラムを実行する１以上のプロセッサと、を備える携帯用電子デバイス上のグラフィカルユーザインタフェースは、第１の事前設定されたユーザインタフェース画面と第２の事前設定されたユーザインタフェース画面とを含む個別に表示される複数のユーザインタフェース画面を含む。前記第１の事前設定されたユーザインタフェース画面及び前記第２の事前設定されたユーザインタフェース画面とは異なる第３のユーザインタフェース画面が表示される。前記前記第３のユーザインタフェース画面が表示されている間に前記タッチセンシティブディスプレイ上で指ジェスチャが検出される。前記前記第３のユーザインタフェース画面が表示されている間に前記タッチセンシティブディスプレイ上で前記指ジェスチャが検出されるのに応じて、前記検出された指ジェスチャが第１の指ジェスチャである場合、前記第３のユーザインタフェース画面の表示が前記第１の事前設定されたユーザインタフェース画面の表示で置換され、前記検出された指ジェスチャが前記第１の指ジェスチャの逆である第２の指ジェスチャである場合、前記第３のユーザインタフェース画面の表示が前記第２の事前設定されたユーザインタフェース画面の表示で置換される。
【００１０】
[0010]一部の実施形態によれば、携帯用電子デバイスは、第１の事前設定されたユーザインタフェース画面と第２の事前設定されたユーザインタフェース画面とを含む複数のユーザインタフェース画面を個別に表示するように構成されたタッチセンシティブディスプレイと、前記複数のユーザインタフェース画面の中の第３のユーザインタフェース画面を表示する手段であって、前記第３のユーザインタフェース画面は、前記第１の事前設定されたユーザインタフェース画面及び前記第２の事前設定されたユーザインタフェース画面とは異なる、手段と、前記第３のユーザインタフェース画面を表示している間に前記タッチセンシティブディスプレイ上で指ジェスチャを検出する手段と、前記タッチセンシティブディスプレイ上で前記指ジェスチャを検出するのに応じて、前記検出された指ジェスチャが第１の指ジェスチャである場合、前記第３のユーザインタフェース画面の表示を前記第１の事前設定されたユーザインタフェース画面の表示で置換する手段と、前記タッチセンシティブディスプレイ上で前記指ジェスチャを検出するのに応じて、前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する手段と、を備える。
【００１１】
[0011]一部の実施形態によれば、第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスにおいて使用される情報処理装置は、前記複数のユーザインタフェース画面の中の第３のユーザインタフェース画面を表示する手段であって、前記第３のユーザインタフェース画面は、前記第１の事前設定されたユーザインタフェース画面及び前記第２の事前設定されたユーザインタフェース画面とは異なる、手段と、前記第３のユーザインタフェース画面を表示している間に前記タッチセンシティブディスプレイ上で指ジェスチャを検出する手段と、前記タッチセンシティブディスプレイ上で前記指ジェスチャを検出するのに応じて、前記検出された指ジェスチャが第１の指ジェスチャである場合、前記第３のユーザインタフェース画面の表示を前記第１の事前設定されたユーザインタフェース画面の表示で置換する手段と、前記タッチセンシティブディスプレイ上で前記指ジェスチャを検出するのに応じて、前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する手段と、を備える。
【００１２】
[0012]一部の実施形態によれば、電子デバイスは、第１の事前設定されたユーザインタフェース画面と第２の事前設定されたユーザインタフェース画面とを含む複数のユーザインタフェース画面を個別に表示し、指ジェスチャを検出するように構成されたタッチセンシティブディスプレイユニットと、前記タッチセンシティブディスプレイユニットに結合された処理ユニットと、を含む。前記処理ユニットは、前記複数のユーザインタフェース画面の中の、前記第１の事前設定されたユーザインタフェース画面及び前記第２の事前設定されたユーザインタフェース画面とは異なる第３のユーザインタフェース画面の表示を有効化し、前記第３のユーザインタフェース画面を表示している間に前記タッチセンシティブディスプレイユニット上で指ジェスチャを検出し、前記タッチセンシティブディスプレイユニット上で前記指ジェスチャを検出するのに応じて、前記検出された指ジェスチャが第１の指ジェスチャである場合、前記第３のユーザインタフェース画面の表示を前記第１の事前設定されたユーザインタフェース画面の表示で置換し、前記検出された指ジェスチャが前記第１の指ジェスチャの逆である第２の指ジェスチャである場合、前記第３のユーザインタフェース画面の表示を前記第２の事前設定されたユーザインタフェース画面の表示で置換するように構成される。
【００１３】
[0013]こうして、タッチセンシティブディスプレイを備える携帯用電子デバイスに、ユーザインタフェース画面間をナビゲートするためのより迅速かつより効率的な方法およびインタフェースが提供され、これにより、そのようなデバイスにおける有効性、効率性、およびユーザ満足度を向上させることができる。そのような方法およびインタフェースは、ユーザインタフェース画面間をナビゲートするための従来の方法を補完または置換しうる。
【図面の簡単な説明】
【００１４】
[0014]本発明の前述の諸実施形態およびさらなる諸実施形態をよりよく理解するため、下記の図面と併せて下記の「発明を実施するための形態」を参照するべきである。図面において、類似の参照番号は図面全体を通して対応する部分を指す。
【図１Ａ】一部の実施形態による、タッチセンシティブディスプレイを備えた携帯用多機能デバイスを示すブロック図である。
【図１Ｂ】一部の実施形態による、タッチセンシティブディスプレイを備えた携帯用多機能デバイスを示すブロック図である。
【図１Ｃ】一部の実施形態による、イベント処理のための例示的な構成要素（コンポーネント）を示すブロック図である。
【図２】一部の実施形態による、タッチスクリーンを有する携帯用多機能デバイスを示す図である。
【図３Ａ】一部の実施形態による、ディスプレイとタッチセンシティブ表面とを備えた例示的な多機能デバイスのブロック図である。
【図３Ｂ】一部の実施形態による、タッチスクリーンを有する例示的な携帯用電子デバイスを示すブロック図である。
【図４Ａ】一部の実施形態による、携帯用多機能デバイス上のアプリケーションのメニューについての例示的なユーザインタフェースを示す図である。
【図４Ｂ】一部の実施形態による、携帯用多機能デバイス上のアプリケーションのメニューについての例示的なユーザインタフェースを示す図である。
【図４Ｃ】一部の実施形態による、ディスプレイとは別のタッチセンシティブ表面を備えた多機能デバイスのための例示的なユーザインタフェースを示す図である。
【図５Ａ】一部の実施形態によるナビゲート可能な例示的なユーザインタフェース画面を示す図である。
【図５Ｂ】一部の実施形態によるナビゲート可能な例示的なユーザインタフェース画面を示す図である。
【図５Ｃ】一部の実施形態によるナビゲート可能な例示的なユーザインタフェース画面を示す図である。
【図５Ｄ】一部の実施形態によるナビゲート可能な例示的なユーザインタフェース画面を示す図である。
【図５Ｅ】一部の実施形態によるナビゲート可能な例示的なユーザインタフェース画面を示す図である。
【図５Ｆ】一部の実施形態によるナビゲート可能な例示的なユーザインタフェース画面を示す図である。
【図５Ｇ】一部の実施形態によるナビゲート可能な例示的なユーザインタフェース画面を示す図である。
【図５Ｈ】一部の実施形態によるナビゲート可能な例示的なユーザインタフェース画面を示す図である。
【図５Ｉ】一部の実施形態によるナビゲート可能な例示的なユーザインタフェース画面を示す図である。
【図５Ｊ】一部の実施形態によるナビゲート可能な例示的なユーザインタフェース画面を示す図である。
【図５Ｋ】一部の実施形態によるナビゲート可能な例示的なユーザインタフェース画面を示す図である。
【図５Ｌ】一部の実施形態によるナビゲート可能な例示的なユーザインタフェース画面を示す図である。
【図５Ｍ】一部の実施形態によるナビゲート可能な例示的なユーザインタフェース画面を示す図である。
【図５Ｎ】一部の実施形態によるナビゲート可能な例示的なユーザインタフェース画面を示す図である。
【図５Ｏ】一部の実施形態によるナビゲート可能な例示的なユーザインタフェース画面を示す図である。
【図５Ｐ】一部の実施形態によるナビゲート可能な例示的なユーザインタフェース画面を示す図である。
【図５Ｑ】一部の実施形態によるナビゲート可能な例示的なユーザインタフェース画面を示す図である。
【図５Ｒ】一部の実施形態によるナビゲート可能な例示的なユーザインタフェース画面を示す図である。
【図５Ｓ】一部の実施形態によるナビゲート可能な例示的なユーザインタフェース画面を示す図である。
【図６Ａ】一部の実施形態によるユーザインタフェース画面間をナビゲートする方法を示すフロー図である。
【図６Ｂ】一部の実施形態によるユーザインタフェース画面間をナビゲートする方法を示すフロー図である。
【図６Ｃ】一部の実施形態によるユーザインタフェース画面間をナビゲートする方法を示すフロー図である。
【図６Ｄ】一部の実施形態によるユーザインタフェース画面間をナビゲートする方法を示すフロー図である。
【図７】一部の実施形態による電子デバイスの機能ブロック図である。
【発明を実施するための形態】
【００１５】
[0025]次に、実施形態について詳細に説明し、それらの例を添付の図面に示す。以下の詳細記述では、本発明の十分な理解を提供するために、多くの特定の詳細が記述されている。しかし、当業者には明らかであろうが、本発明は、これらの特定の詳細がなくても実施されうる。その他の事例では、周知の方法、手順、構成要素、回路およびネットワークは、実施形態の態様を不要にあいまいにしないように、詳細には記述していない。
【００１６】
[0026]また理解されるであろうが、第１、第２などの用語は、本明細書では、各種の要素（エレメント）を記述するために使用されうるけれども、これらの要素はこれらの用語によって限定されるべきでない。これらの用語は、要素と要素とを区別するためだけに用いられている。例えば、本発明の範囲から逸脱することなく、第１の接触は第２の接触と呼ばれてもよいだろうし、同様に、第２の接触が第１の接触と呼ばれてもよいだろう。第１の接触と第２の接触とは、どちらも接触であるが、同じ接触ではない。
【００１７】
[0027]本明細書で本発明の記述の中で用いられる用語は、特定の実施形態を記述することを目的としており、本発明を限定することを意図していない。本発明の記述および添付の請求項で用いられる場合、単数形「ａ」、「ａｎ」、「ｔｈｅ」は、文脈が別に明示しない限り、複数形も同様に含むことを意図する。さらに理解されるであろうが、「および／または(and/or)」という用語は、本明細書で用いられる場合、関連するリストされた項目のうちの１つ以上のいずれかの、または、すべての起こりうる組み合わせを言及し、それを包含する。さらに理解されるであろうが、「含む(include)」、「含んでいる(including)」、「備える(comprise)」および／または「備えている(comprising)」という用語は、本明細書で用いられる場合、述べられた特徴、整数、ステップ、動作、要素および／または構成要素の存在を明記するが、１つ以上の他の特徴、整数、ステップ、動作、要素、構成要素、および／またはそれらのグループの存在もしくは追加を排除しない。
【００１８】
[0028]本明細書では、「もしも(if)」は、文脈に依存して、「する時(when)」または「した時点で(upon)」または「判定したことに応じて(in response to determining)」または「検出したことに応じて(in response to detecting)」を意味すると解釈されてもよい。同様に、「と判定された場合(if it is determined)」または「［述べられた条件またはイベント］が検出された場合(if [a stated condition or event] is detected)」は、文脈に依存して、「判定した時点で(upon determining)」または「判定したことに応じて(in response to determining)」または「［述べられた条件またはイベント］を検出した時点で(upon detecting [the stated condition or event])」または「［述べられた条件またはイベント］を検出したことに応じて(in response to detecting [the stated condition or event])」を意味すると解釈されてもよい。
【００１９】
[0029]本明細書では、ディスプレイの「解像度(resolution)」という用語は、ディスプレイの個々の軸に沿った、または個々の次元における、ピクセルの数（「ピクセルカウント(pixel count)」または「ピクセル解像度(pixel resolution)」とも呼ばれる）のことを言う。例えば、ディスプレイが、３２０×４８０ピクセルの解像度を持っていてもよい。さらに、本明細書では、多機能デバイスの「解像度(resolution)」は、多機能デバイスの中のディスプレイの解像度を言う。「解像度(resolution)」という用語は、個々のピクセルのサイズまたはピクセルの間隔に関する何らかの制限を意味しない。例えば、１０２４×７６８ピクセルの解像度を持つ第１のディスプレイと比べて、３２０×４８０ピクセルの解像度を持つ第２のディスプレイは、解像度が低い。しかし、留意されるべきだが、ディスプレイの物理的大きさは、ピクセル解像度だけに依存するのではなく、ピクセルのサイズおよびピクセルの間隔を含めた多くの他の因子にも依存する。従って、第１のディスプレイは、第２のディスプレイと比べて、大きさが同じ、小さい、または大きいことがある。
【００２０】
[0030]本明細書では、ディスプレイの「ビデオ解像度(video resolution)」という用語は、ディスプレイの個々の軸に沿った、または個々の次元における、ピクセルの密度のことを言う。ビデオ解像度は、ＤＰＩ（ｄｏｔｓ−ｐｅｒ−ｉｎｃｈ）の単位で測られることが多く、これは、ディスプレイのそれぞれの次元に沿った１インチの範囲の中に一列に入れることのできるピクセルの数を数えるものである。
【００２１】
[0031]コンピューティングデバイス、そのようなデバイスのためのユーザインタフェース、およびそのようなデバイスを使用するための関連プロセスの実施形態について記述する。一部の実施形態では、コンピューティングデバイスは、携帯用通信デバイス、例えば移動電話であり、その他の機能、例えばＰＤＡおよび／または音楽プレーヤ機能も有している。携帯用多機能デバイスの例示的な実施形態には、限定することなく、カリフォルニア州ＣｕｐｅｒｔｉｎｏのＡｐｐｌｅ  Ｉｎｃ．のｉＰｈｏｎｅ（登録商標）、ｉＰｏｄ  Ｔｏｕｃｈ（登録商標）、およびｉＰａｄ（登録商標）デバイスが含まれる。一部の実施形態では、コンピューティングデバイスは、主にメディアプレーヤとして使用されるものの他の機能（ビデオ録画および／またはＦＭラジオ受信）も含むかもしれない携帯用電子デバイスである。主にメディアプレーヤとして使用される携帯用電子デバイスの例示的な実施形態には、限定することなく、カリフォルニア州ＣｕｐｅｒｔｉｎｏのＡｐｐｌｅ  Ｉｎｃ．のｉＰｏｄ  Ｎａｎｏ（登録商標）デバイスが含まれる。また、その他の携帯用デバイス、例えばタッチセンシティブ表面（例えばタッチスクリーンディスプレイおよび／またはタッチパッド）を持つラップトップコンピュータまたはタブレットコンピュータが用いられてもよい。また、理解されるべきだが、一部の実施形態では、デバイスは、携帯用通信デバイスではなく、タッチセンシティブ表面（例えばタッチスクリーンディスプレイおよび／またはタッチパッド）を持つデスクトップコンピュータである。
【００２２】
[0032]下記の議論では、ディスプレイおよびタッチセンシティブ表面を含むコンピューティングデバイスについて記述する。しかし、理解されるべきだが、コンピューティングデバイスは、１つ以上の他の物理的ユーザインタフェースデバイス、例えば物理的キーボード、マウス、および／またはジョイスティックを含んでいてもよい。
【００２３】
[0033]デバイスは多様なアプリケーション、例えば、描画アプリケーション、プレゼンテーションアプリケーション、文章処理アプリケーション、ウェブサイト作成アプリケーション、ディスクオーサリングアプリケーション、表計算アプリケーション、ゲームアプリケーション、電話アプリケーション、テレビ会議アプリケーション、電子メールアプリケーション、インスタントメッセージングアプリケーション、エクササイズ(workout)サポートアプリケーション、写真管理アプリケーション、デジタルカメラアプリケーション、デジタルビデオカメラアプリケーション、インターネット閲覧アプリケーション、デジタル音楽プレーヤアプリケーション、および／またはデジタルビデオプレーヤアプリケーションのうちの１つ以上をサポートする。
【００２４】
[0034]デバイス上で実行されうる各種のアプリケーションは、少なくとも１つの共通の物理的ユーザインタフェースデバイス、例えばタッチセンシティブ表面を使用してもよい。タッチセンシティブ表面の１つ以上の機能、およびデバイス上に表示される対応する情報は、アプリケーション毎に、および／または、それぞれのアプリケーションの中で、調整されたり、および／または、変更されたりしてもよい。このようにして、デバイスの共通の物理的アーキテクチャ（例えばタッチセンシティブ表面）は、ユーザにとって直感的かつ透過的なユーザインタフェースを使って多様なアプリケーションをサポートしうる。
【００２５】
[0035]ユーザインタフェースは、１つ以上のソフトキーボードの実施形態を含んでいてもよい。ソフトキーボードの実施形態は、表示されたキーボードのアイコン上に標準の（ＱＷＥＲＴＹ）および／または標準でない構成のシンボルを含んでいてもよく、それらは例えば、２００６年７月２４日に出願された米国特許出願第１１／４５９，６０６号「Ｋｅｙｂｏａｒｄｓ  ｆｏｒ  Ｐｏｒｔａｂｌｅ  Ｅｌｅｃｔｒｏｎｉｃ  Ｄｅｖｉｃｅｓ」および２００６年７月２４日に出願された米国特許出願第１１／４５９，６１５号「Ｔｏｕｃｈ  Ｓｃｒｅｅｎ  Ｋｅｙｂｏａｒｄｓ  Ｆｏｒ  Ｐｏｒｔａｂｌｅ  Ｅｌｅｃｔｒｏｎｉｃ  Ｄｅｖｉｃｅｓ」に記述されており、その内容を全部、参照により本願に援用する。キーボードの実施形態の中には、既存の物理的キーボード、例えばタイプライタのキーボードにあるキーの数と比べてアイコン（またはソフトキー）の数が少ない実施形態があってもよい。これによって、ユーザは、キーボードの中の１つ以上のアイコン、それゆえ、１つ以上の対応するシンボルを選択するのがより容易になる。キーボードの実施形態は、適応的であってよい。例えば、表示されたアイコンが、例えば１つ以上のアイコンおよび／または１つ以上の対応するシンボルを選択するようなユーザの動作に従って修正されてもよい。デバイス上の１つ以上のアプリケーションが、共通の、および／または異なるキーボード実施形態を利用してもよい。それゆえ、使用されるキーボードの実施形態は、少なくとも一部のアプリケーションに合わせてカスタマイズされてもよい。一部の実施形態では、１つ以上のキーボードの実施形態が、それぞれのユーザに合わせてカスタマイズされてもよい。例えば、１つ以上のキーボードの実施形態が、それぞれのユーザの言葉の利用履歴（辞書編集法、スラング、個別の用途）に基づいてそれぞれのユーザに合わせてカスタマイズされてもよい。一部のキーボードの実施形態は、ソフトキーボードの実施形態を用いる時に、１つ以上のアイコンを、それゆえ１つ以上のシンボルを、選択する場合にユーザエラーの確率を減らすように調整されてもよい。
【００２６】
[0036]次に、タッチセンシティブディスプレイを備えた携帯用デバイスの実施形態に注意を向けよう。図１Ａおよび図１Ｂは、一部の実施形態による、タッチセンシティブディスプレイ１１２を持つ携帯用多機能デバイス１００を示すブロック図である。タッチセンシティブディスプレイ１１２は、便宜上「タッチスクリーン」と呼ばれることもあり、また、タッチセンシティブディスプレイシステムとして知られ、またはそう呼ばれることもある。デバイス１００は、メモリ１０２（１つ以上のコンピュータ可読記憶媒体を含みうる）と、メモリコントローラ１２２と、１つ以上の処理ユニット（ＣＰＵ）１２０と、周辺装置インタフェース１１８と、ＲＦ回路部１０８と、音声回路部１１０と、スピーカ１１１と、マイク１１３と、入力／出力（Ｉ／Ｏ）サブシステム１０６と、他の入力または制御デバイス１１６と、外部ポート１２４とを含んでいてもよい。デバイス１００は、１つ以上の光センサ１６４を含んでいてもよい。これらの構成要素は、１つ以上のコミュニケーションバスまたは信号線１０３を経て通信してもよい。
【００２７】
[0037]理解されるべきだが、デバイス１００は、携帯用多機能デバイスの一例にすぎず、デバイス１００は、図示するより構成要素が多いことも少ないこともあり、２つ以上の構成要素を組み合わせることもあり、あるいは、構成要素の別の構成または配置を有することもある。図１Ａおよび図１Ｂに示す各種の構成要素は、ハードウェア、ソフトウェア、またはハードウェアとソフトウェアの両方の組み合わせとして、１つ以上の信号処理回路および／または特定用途向け集積回路を含めて実装されてもよい。
【００２８】
[0038]メモリ１０２は、高速ランダムアクセスメモリを含んでいてもよく、また、不揮発性メモリ、例えば１つ以上の磁気ディスクストレージデバイス、フラッシュメモリデバイス、またはその他の不揮発性ソリッドステートメモリデバイスを含んでいてもよい。メモリ１０２へのデバイス１００の他のコンポーネント、例えばＣＰＵ１２０および周辺インタフェース１１８によるアクセスは、メモリコントローラ１２２によって制御されてもよい。
【００２９】
[0039]周辺装置インタフェース１１８を用いて、デバイスの入出力周辺装置をＣＰＵ１２０およびメモリ１０２に接続することができる。１つ以上のプロセッサ１２０は、各種のソフトウェアプログラムおよび／またはメモリ１０２の中に記憶された命令の集合を動作させるかまたは実行して、デバイス１００についての各種の機能を行い、データを処理する。
【００３０】
[0040]一部の実施形態では、周辺装置インタフェース１１８と、ＣＰＵ１２０と、メモリコントローラ１２２とは、例えばチップ１０４のような単一のチップ上に実装されてもよい。一部の実施形態では、それらは別個のチップ上に実装されてもよい。
【００３１】
[0041]ＲＦ（ｒａｄｉｏ  ｆｒｅｑｕｅｎｃｙ）回路部１０８は、電磁信号とも呼ばれるＲＦ信号を送受信する。ＲＦ回路部１０８は、電気信号を電磁信号に、電磁信号を電気信号に変換し、電磁信号を介して通信ネットワークおよびその他の通信デバイスと通信する。ＲＦ回路部１０８は、アンテナシステムと、ＲＦトランシーバと、１つ以上の増幅器と、チューナと、１つ以上のオシレータと、デジタル信号プロセッサと、ＣＯＤＥＣチップセットと、ＳＩＭ（ｓｕｂｓｃｒｉｂｅｒ  ｉｄｅｎｔｉｔｙ  ｍｏｄｕｌｅ）カードと、メモリと、等々を含めて、これらの機能を行うための周知の回路部を含んでいてもよいが、それらに限定されない。ＲＦ回路部１０８は、ＷＷＷ（Ｗｏｒｌｄ  Ｗｉｄｅ  Ｗｅｂ）とも呼ばれるインターネット、イントラネット、および／または、セルラー電話ネットワーク、ワイヤレスローカルエリアネットワーク（ＬＡＮ）、および／またはメトロポリタンエリアネットワーク（ＭＡＮ）のようなワイヤレスネットワーク、のようなネットワークとワイヤレス通信によって通信してもよいし、その他のデバイスとワイヤレス通信によって通信してもよい。ワイヤレス通信は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＥＤＧＥ（Ｅｎｈａｎｃｅｄ  Ｄａｔａ  ＧＳＭ  Ｅｎｖｉｒｏｎｍｅｎｔ）、ＨＳＤＰＡ（ｈｉｇｈ−ｓｐｅｅｄ  ｄｏｗｎｌｉｎｋ  ｐａｃｋｅｔ  ａｃｃｅｓｓ）、Ｗ−ＣＤＭＡ（ｗｉｄｅｂａｎｄ  ｃｏｄｅ  ｄｉｖｉｓｉｏｎ  ｍｕｌｔｉｐｌｅ  ａｃｃｅｓｓ）、ＣＤＭＡ（ｃｏｄｅ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、Ｂｌｕｅｔｏｏｔｈ、Ｗｉ−Ｆｉ（Ｗｉｒｅｌｅｓｓ  Ｆｉｄｅｌｉｔｙ）（例えばＩＥＥＥ８０２．１１ａ、ＩＥＥＥ８０２．１１ｂ、ＩＥＥＥ８０２．１１ｇおよび／またはＩＥＥＥ８０２．１１ｎ）、ＶｏＩＰ（ｖｏｉｃｅ  ｏｖｅｒ  Ｉｎｔｅｒｎｅｔ  Ｐｒｏｔｏｃｏｌ）、Ｗｉ−ＭＡＸ、電子メール用のプロトコル（例えばＩＭＡＰ（Ｉｎｔｅｒｎｅｔ  ｍｅｓｓａｇｅ  ａｃｃｅｓｓ  ｐｒｏｔｏｃｏｌ）および／またはＰＯＰ（ｐｏｓｔ  ｏｆｆｉｃｅ  ｐｒｏｔｏｃｏｌ））、インスタントメッセージング（例えばＸＭＰＰ（ｅｘｔｅｎｓｉｂｌｅ  ｍｅｓｓａｇｉｎｇ  ａｎｄ  ｐｒｅｓｅｎｃｅ  ｐｒｏｔｏｃｏｌ）、ＳＩＭＰＬＥ（Ｓｅｓｓｉｏｎ  Ｉｎｉｔｉａｔｉｏｎ  Ｐｒｏｔｏｃｏｌ  ｆｏｒ  Ｉｎｓｔａｎｔ  Ｍｅｓｓａｇｉｎｇ  ａｎｄ  Ｐｒｅｓｅｎｃｅ  Ｌｅｖｅｒａｇｉｎｇ  Ｅｘｔｅｎｓｉｏｎｓ）、ＩＭＰＳ（Ｉｎｓｔａｎｔ  Ｍｅｓｓａｇｉｎｇ  ａｎｄ  Ｐｒｅｓｅｎｃｅ  Ｓｅｒｖｉｃｅ））、および／または、ＳＭＳ（Ｓｈｏｒｔ  Ｍｅｓｓａｇｅ  Ｓｅｒｖｉｃｅ）、あるいはいずれかの他の適切な通信プロトコル（本明細書の提出日の時点ではまだ開発されていない通信プロトコルを含む）を含めるがそれらに限定されない、複数の通信標準、プロトコル、および技術のいずれを使用してもよい。
【００３２】
[0042]音声回路部１１０と、スピーカ１１１と、マイク１１３とは、ユーザとデバイス１００との間の音声インタフェースを提供する。音声回路部１１０は、周辺装置インタフェース１１８から音声データを受信し、音声データを電気信号に変換し、電気信号をスピーカ１１１に送信する。スピーカ１１は、電気信号を人間に聞こえる音波に変換する。また、音声回路部１１０は、音波からマイク１１３によって変換された電気信号を受信する。音声回路部１１０は、電気信号を音声データに変換し、音声データを処理するために周辺装置インタフェース１１８へ送信する。音声データは、周辺装置インタフェース１１８によって、メモリ１０２および／またはＲＦ回路部１０８から取得されるか、および／または、メモリ１０２および／またはＲＦ回路部１０８へ送信されてもよい。また、一部の実施形態では、音声回路部１１０は、ヘッドフォンジャック（例えば図２の２１２）を含んでいる。ヘッドフォンジャックは、音声回路部１１０と、例えば出力のみのヘッドフォンや出力（例えば片耳または両耳用のヘッドフォン）と入力（例えばマイク）とを備えたヘッドフォンのような、着脱式音声入力／出力周辺装置との間のインタフェースを提供する。
【００３３】
[0043]Ｉ／Ｏサブシステム１０６は、デバイス１００の入力／出力周辺装置、例えばタッチスクリーン１１２およびその他の入力制御デバイス１１６を、周辺装置インタフェース１１８に接続する。Ｉ／Ｏサブシステム１０６は、ディスプレイコントローラ１５６と、その他の入力または制御デバイス用の１つ以上の入力コントローラ１６０とを含んでいてもよい。１つ以上の入力コントローラ１６０は、その他の入力または制御デバイス１１６との間で電気信号の送受信を行う。その他の入力または制御デバイス１１６には、物理的ボタン（例えばプッシュボタン、ロッカーボタン等）、ダイヤル、スライド式スイッチ、ジョイスティック、クリックホイール等が含まれてもよい。一部の代替的実施形態では、入力コントローラ１６０は、キーボード、赤外線ポート、ＵＳＢポート、および例えばマウスのようなポインタデバイスのうちのいずれかに接続されても（あるいは、まったくされなくても）よい。１つ以上のボタン（例えば図２の２０８）は、スピーカ１１１および／またはマイク１１３の音量調節のための上／下ボタンを含んでいてもよい。１つ以上のボタンは、プッシュボタン（例えば図２の２０６）を含んでいてもよい。すばやくプッシュボタンを押すことにより、タッチスクリーン１１２のロックをはずすかまたは、デバイスのロックを解除するためにタッチスクリーン上でジェスチャを用いるプロセスを開始してもよく、それについては、２００５年１２月２３日に出願した米国特許出願第１１／３２２，５４９号「Ｕｎｌｏｃｋｉｎｇ  ａ  Ｄｅｖｉｃｅ  ｂｙ  Ｐｅｒｆｏｒｍｉｎｇ  Ｇｅｓｔｕｒｅｓ  ｏｎ  ａｎ  Ｕｎｌｏｃｋ  Ｉｍａｇｅ」に記述されており、それをそのまま全部、参照により本願に援用する。プッシュボタン（例えば２０６）を長めに押すことにより、デバイス１００の電源をオンまたはオフにしてもよい。ユーザが、１つ以上のボタンの機能性をカスタマイズすることができてもよい。バーチャルボタンもしくはソフトボタンおよび１つ以上のソフトキーボードを実装するのに、タッチスクリーン１１２が用いられる。
【００３４】
[0044]タッチセンシティブディスプレイ１１２は、デバイスとユーザとの間の入力インタフェースおよび出力インタフェースを提供する。ディスプレイコントローラ１５６は、タッチスクリーン１１２との間で電気信号を送受信する。タッチスクリーン１１２は、視覚的出力をユーザに表示する。視覚的出力は、グラフィックスと、テキストと、アイコンと、ビデオと、それらのいずれかの組み合わせと（集合的に「グラフィックス」と称する）を含んでいてもよい。一部の実施形態では、視覚的出力の一部または全部が、ユーザインタフェースのオブジェクトに対応していてもよい。
【００３５】
[0045]タッチスクリーン１１２は、タッチセンシティブ表面と、触覚および／または触感による接触に基づいてユーザからの入力を受け入れるセンサまたはセンサの集合とを有する。タッチスクリーン１１２およびディスプレイコントローラ１５６は（メモリ１０２の中のいずれかの関連のモジュールおよび／または命令の集合と共に）、タッチスクリーン１１２上の接触（および接触の移動または中断）を検出し、検出した接触を、タッチスクリーン１１２上に表示されるユーザインタフェースオブジェクト（例えば１つ以上のソフトキー、アイコン、ウェブページ、または画像）との対話に変換する。例示的な一実施形態では、タッチスクリーン１１２とユーザとの間の接点は、ユーザの指に対応する。
【００３６】
[0046]タッチスクリーン１１２は、ＬＣＤ（ｌｉｑｕｉｄ  ｃｒｙｓｔａｌ  ｄｉｓｐｌａｙ）技術、ＬＰＤ（ｌｉｇｈｔ  ｅｍｉｔｔｉｎｇ  ｐｏｌｙｍｅｒ  ｄｉｓｐｌａｙ）技術、またはＬＥＤ（ｌｉｇｈｔ  ｅｍｉｔｔｉｎｇ  ｄｉｏｄｅ）技術を用いてもよいが、他の実施形態では他のディスプレイ技術が用いられてもよい。タッチスクリーン１１２およびディスプレイコントローラ１５６は、接触またはいずれかの動作またはその中断を、静電容量、抵抗、赤外線、表面音波だけでなく、タッチスクリーン１１２との１つ以上の接点を判定するための他の近接センサアレーまたは他の要素も含むけれどもそれらに限定されることなく、現在既知であるか今後開発される複数のタッチセンシング技術のいずれを用いて検出してもよい。例示的な一実施形態では、カリフォルニア州ＣｕｐｅｒｔｉｎｏのＡｐｐｌｅ  Ｉｎｃ．製のｉＰｈｏｎｅ（登録商標）およびｉＰｏｄ  Ｔｏｕｃｈ（登録商標）にみられるような、投影型相互静電容量センシング技術が用いられている。
【００３７】
[0047]タッチスクリーン１１２の一部の実施形態におけるタッチセンシティブディスプレイは、米国特許第６，３２３，８４６号（Ｗｅｓｔｅｒｍａｎ他）、第６，５７０，５５７号（Ｗｅｓｔｅｒｍａｎ他）、および／または第６，６７７，９３２号（Ｗｅｓｔｅｒｍａｎ）、および／または米国特許公開第２００２／００１５０２４Ａ１のなかに記述されたマルチタッチ・センシティブ・タッチパッドに類似していてもよく、その各々をそのまま全部、参照により本願に援用する。しかし、タッチスクリーン１１２は、携帯用デバイス１００からの視覚的な出力を表示するが、タッチセンシティブタッチパッドは、視覚的な出力を提供しない。
【００３８】
[0048]タッチスクリーン１１２の一部の実施形態におけるタッチセンシティブディスプレイが、以下の出願の中に記述されたようであってよい。すなわち、（１）２００６年５月２日に出願された米国特許出願第１１／３８１，３１３号「Ｍｕｌｔｉｐｏｉｎｔ  Ｔｏｕｃｈ  Ｓｕｒｆａｃｅ  Ｃｏｎｔｒｏｌｌｅｒ」、（２）２００４年５月６日に出願された米国特許出願第１０／８４０，８６２号「Ｍｕｌｔｉｐｏｉｎｔ  Ｔｏｕｃｈｓｃｒｅｅｎ」、（３）２００４年７月３０日に出願された米国特許出願第１０／９０３，９６４号「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（４）２００５年１月３１日に出願された米国特許出願第１１／０４８，２６４号「Ｇｅｓｔｕｒｅｓ  Ｆｏｒ  Ｔｏｕｃｈ  Ｓｅｎｓｉｔｉｖｅ  Ｉｎｐｕｔ  Ｄｅｖｉｃｅｓ」、（５）２００５年１月１８日に出願された米国特許出願第１１／０３８，５９０号「Ｍｏｄｅ−Ｂａｓｅｄ  Ｇｒａｐｈｉｃａｌ  Ｕｓｅｒ  Ｉｎｔｅｒｆａｃｅｓ  Ｆｏｒ  Ｔｏｕｃｈ  Ｓｅｎｓｉｔｉｖｅ  Ｉｎｐｕｔ  Ｄｅｖｉｃｅｓ」、（６）２００５年９月１６日に出願された米国特許出願第１１／２２８，７５８号「Ｖｉｒｔｕａｌ  Ｉｎｐｕｔ  Ｄｅｖｉｃｅ  Ｐｌａｃｅｍｅｎｔ  Ｏｎ  Ａ  Ｔｏｕｃｈ  Ｓｃｒｅｅｎ  Ｕｓｅｒ  Ｉｎｔｅｒｆａｃｅ」、（７）２００５年９月１６日に出願された米国特許出願第１１／２２８，７００号「Ｏｐｅｒａｔｉｏｎ  Ｏｆ  Ａ  Ｃｏｍｐｕｔｅｒ  Ｗｉｔｈ  Ａ  Ｔｏｕｃｈ  Ｓｃｒｅｅｎ  Ｉｎｔｅｒｆａｃｅ」、（８）２００５年９月１６日に出願された米国特許出願第１１／２２８，７３７号「Ａｃｔｉｖａｔｉｎｇ  Ｖｉｒｔｕａｌ  Ｋｅｙｓ  Ｏｆ  Ａ  Ｔｏｕｃｈ−Ｓｃｒｅｅｎ  Ｖｉｒｔｕａｌ  Ｋｅｙｂｏａｒｄ」、および、（９）２００６年３月３日に出願された米国特許出願第１１／３６７，７４９号「Ｍｕｌｔｉ−Ｆｕｎｃｔｉｏｎａｌ  Ｈａｎｄ−Ｈｅｌｄ  Ｄｅｖｉｃｅ」である。これらの出願のすべてを、そのまま全部、参照により本願に援用する。
【００３９】
[0049]タッチスクリーン１１２は、１００ｄｐｉを超えるビデオ解像度を有してもよい。一部の実施形態では、タッチスクリーンは、およそ１６０ｄｐｉのビデオ解像度を有する。ユーザは、いずれかの適切なオブジェクトまたは付属物、例えばスタイラス、指等を用いて、タッチスクリーン１１２に接触してもよい。一部の実施形態では、ユーザインタフェースは、主に指に基づく接触およびジェスチャにより機能するように設計されるが、その場合、指がタッチスクリーン上で接触する面積が広いため、スタイラスに基づく入力ほど正確でないことがありうる。一部の実施形態では、デバイスは、指に基づくおおまかな入力を、正確なポインタ／カーソル位置またはユーザが望んだ動作を行うためのコマンドへと翻訳する。
【００４０】
[0050]一部の実施形態では、タッチスクリーンに加えて、デバイス１００は、個別の機能を起動または停止させるための（図示しない）タッチパッドを含んでいてもよい。一部の実施形態では、タッチパッドは、タッチスクリーンとは異なり、視覚的出力を表示しない、デバイスのタッチセンシティブエリアである。タッチパッドは、タッチスクリーン１１２とは別のタッチセンシティブ表面であるかまたは、タッチスクリーンによって形成されるタッチセンシティブ表面の延長であってもよい。
【００４１】
[0051]一部の実施形態では、デバイス１００は、物理的またはバーチャルなホイール（例えばクリックホイール）を入力制御デバイス１１６として含んでいてもよい。ユーザは、クリックホイールを回転させることによってかまたは（例えば、接点の移動量が、クリックホイールの中心点に対するその角変位によって測定される場合）クリックホイールを使って接点を移動させることによって、タッチスクリーン１１２の中に表示される１つ以上のグラフィカルオブジェクト（例えばアイコン）の間をナビゲートするかまたはそれらと対話してもよい。また、クリックホイールは、１つ以上の表示されたアイコンを選択するのに用いられてもよい。例えば、ユーザがクリックホイールの少なくとも一部分または関連のボタンを押し下げてもよい。クリックホイールを介してユーザによって提供されたユーザコマンドおよびナビゲーションコマンドが、入力コントローラ１６０だけでなく、メモリ１０２の中の１つ以上のモジュールおよび／または命令の集合によって処理されてもよい。バーチャルなクリックホイールの場合、クリックホイールとクリックホイールコントローラとはそれぞれ、タッチスクリーン１１２およびディスプレイコントローラ１５６の一部であってもよい。バーチャルなクリックホイールの場合、クリックホイールは、デバイスとユーザとの対話に応じてタッチスクリーンディスプレイに現れたり消えたりする不透明または半透明のオブジェクトであってもよい。一部の実施形態では、バーチャルなクリックホイールは、携帯用多機能デバイスのタッチスクリーン上に表示され、ユーザがタッチスクリーンに接触することによって操作される。
【００４２】
[0052]また、デバイス１００は、各種の構成要素に電力を供給するための電力系統１６２を含んでいる。電力系統１６２は、電力管理システムと、１つ以上の電源（例えばバッテリ、交流電流（ＡＣ））と、再充電システムと、電源障害検出回路と、電力コンバータまたは電力インバータと、電力ステータスインジケータ（例えばＬＥＤ（ｌｉｇｈｔ−ｅｍｉｔｔｉｎｇ  ｄｉｏｄｅ））と、携帯用デバイスの中の電力の生成、管理、分配に関連するその他のいずれかの構成要素とを含んでいてもよい。
【００４３】
[0053]また、デバイス１００は、１つ以上の光センサ１６４を含んでいてもよい。図１Ａおよび図１Ｂは、Ｉ／Ｏサブシステム１０６の中の光センサコントローラ１５８に接続された光センサを示す。光センサ１６４は、ＣＣＤ（ｃｈａｒｇｅ−ｃｏｕｐｌｅｄ  ｄｅｖｉｃｅ）またはＣＭＯＳ（ｃｏｍｐｌｅｍｅｎｔａｒｙ  ｍｅｔａｌ−ｏｘｉｄｅ  ｓｅｍｉｃｏｎｄｕｃｔｏｒ）フォトトランジスタを含んでいてもよい。光センサ１６４は、１つ以上のレンズを通して投影された、環境からの光を受信して、その光を、画像を表すデータに変換する。イメージングモジュール（カメラモジュールとも呼ばれる）１４３と連動して、光センサ１６４は、静止画像またはビデオをキャプチャしてもよい。一部の実施形態では、タッチスクリーンディスプレイが静止画像またはビデオ画像を取得するためのビューファインダとして用いられうるように、光センサが、デバイスの前面にあるタッチスクリーンディスプレイ１１２の反対側の、デバイス１００の背面に位置している。一部の実施形態では、ユーザがテレビ会議の他の参加者をタッチスクリーンディスプレイ上で見ながらユーザの画像がテレビ会議用に取得されうるように、光センサが、デバイスの前面に位置している。一部の実施形態では、単一の光センサ１６４が、テレビ会議だけでなく静止画像および／またはビデオ画像の取得のためにもタッチスクリーンディスプレイと共に用いられうるように、光センサ１６４の位置は、ユーザによって（例えば、デバイスのハウジングの中でレンズとセンサとを回転させることによって）変更されうる。
【００４４】
[0054]また、デバイス１００は、１つ以上の近接センサ１６６を含んでいてもよい。図１Ａおよび図１Ｂは、周辺装置インタフェース１１８に接続された近接センサ１６６を示す。または、近接センサ１６６は、Ｉ／Ｏサブシステム１０６の中の入力コントローラ１６０に接続されてもよい。近接センサ１６６は、米国特許出願第１１／２４１，８３９号「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／２４０，７８８号「Ｐｒｏｘｉｍｉｔｙ  Ｄｅｔｅｃｔｏｒ  Ｉｎ  Ｈａｎｄｈｅｌｄ  Ｄｅｖｉｃｅ」、第１１／６２０，７０２号「Ｕｓｉｎｇ  Ａｍｂｉｅｎｔ  Ｌｉｇｈｔ  Ｓｅｎｓｏｒ  Ｔｏ  Ａｕｇｍｅｎｔ  Ｐｒｏｘｉｍｉｔｙ  Ｓｅｎｓｏｒ  Ｏｕｔｐｕｔ」、第１１／５８６，８６２号「Ａｕｔｏｍａｔｅｄ  Ｒｅｓｐｏｎｓｅ  Ｔｏ  Ａｎｄ  Ｓｅｎｓｉｎｇ  Ｏｆ  Ｕｓｅｒ  Ａｃｔｉｖｉｔｙ  Ｉｎ  Ｐｏｒｔａｂｌｅ  Ｄｅｖｉｃｅｓ」、および、第１１／６３８，２５１号「Ｍｅｔｈｏｄｓ  Ａｎｄ  Ｓｙｓｔｅｍｓ  Ｆｏｒ  Ａｕｔｏｍａｔｉｃ  Ｃｏｎｆｉｇｕｒａｔｉｏｎ  Ｏｆ  Ｐｅｒｉｐｈｅｒａｌｓ」に記述したように動作してもよく、それらをそのまま全部、参照により本願に援用する。一部の実施形態では、近接センサは、多機能デバイスがユーザの耳の近くに置かれた場合に（例えばユーザが電話をかけようとする場合）タッチスクリーン１１２をオフにして使用不能にする。
【００４５】
[0055]また、デバイス１００は、１つ以上の加速度計１６８を含んでいてもよい。図１Ａおよび図１Ｂは、周辺装置インタフェース１１８に接続された加速度計１６８を示す。または、加速度計１６８は、Ｉ／Ｏサブシステム１０６の中の入力コントローラ１６０に接続されてもよい。加速度計１６８は、米国特許公開第２００５０１９００５９号「Ａｃｃｅｌｅｒａｔｉｏｎ−ｂａｓｅｄ  Ｔｈｅｆｔ  Ｄｅｔｅｃｔｉｏｎ  Ｓｙｓｔｅｍ  ｆｏｒ  Ｐｏｒｔａｂｌｅ  Ｅｌｅｃｔｒｏｎｉｃ  Ｄｅｖｉｃｅｓ」および第２００６００１７６９２号「Ｍｅｔｈｏｄｓ  Ａｎｄ  Ａｐｐａｒａｔｕｓｅｓ  Ｆｏｒ  Ｏｐｅｒａｔｉｎｇ  Ａ  Ｐｏｒｔａｂｌｅ  Ｄｅｖｉｃｅ  Ｂａｓｅｄ  Ｏｎ  Ａｎ  Ａｃｃｅｌｅｒｏｍｅｔｅｒ」の中に記述されたように動作してもよく、それらを両方共そのまま全部、参照により本願に援用する。一部の実施形態では、情報は、１つ以上の加速度計から受信されたデータの分析に基づいてポートレートビューまたはランドスケープビューとしてタッチスクリーンディスプレイ上に表示される。デバイス１００は、任意で、加速度計１６８に加えて、デバイス１００の位置および向き（例えばポートレートまたはランドスケープ）に関する情報を取得するための磁気計（図示せず）とＧＰＳ（またはＧＬＯＮＡＳＳまたはその他の全地球的航法システム）受信器（図示せず）とを含んでいる。
【００４６】
[0056]一部の実施形態では、メモリ１０２の中に記憶されるソフトウェアコンポーネントには、オペレーティングシステム１２６と、通信モジュール（または命令の集合）１２８と、接触／動きモジュール（または命令の集合）１３０と、グラフィックスモジュール（または命令の集合）１３２と、テキスト入力モジュール（または命令の集合）１３４と、ＧＰＳ（Ｇｌｏｂａｌ  Ｐｏｓｉｔｉｏｎｉｎｇ  Ｓｙｓｔｅｍ）モジュール（または命令の集合）１３５と、アプリケーション１３６（または命令の集合）とが含まれる。さらに、一部の実施形態では、メモリ１０２は、図１Ａ、図１Ｂ、および図３に示すように、デバイス／グローバル内部状態１５７を記憶する。デバイス／グローバル内部状態１５７は、もしあれば、どのアプリケーションが現在アクティブであるのかを示す、アクティブアプリケーション状態と、どのアプリケーション、ビュー、またはその他の情報が、タッチスクリーンディスプレイ１１２の各種の領域を占有しているのかを示す表示状態と、デバイスの各種のセンサおよび入力制御デバイス１１６から取得された情報を含む、センサ状態と、デバイスの位置および／または姿勢に関する位置情報とのうち、１つ以上を含んでいる。
【００４７】
[0057]オペレーティングシステム１２６（例えば、Ｄａｒｗｉｎ、ＲＴＸＣ、ＬＩＮＵＸ、ＵＮＩＸ、ＯＳ  Ｘ、ＷＩＮＤＯＷＳ、または例えばＶｘ  Ｗｏｒｋｓのように内蔵されたオペレーティングシステム）は、一般的なシステムタスクを制御および管理（例えばメモリ管理、ストレージデバイス制御、電力管理等）するための各種のソフトウェアコンポーネントおよび／またはドライバを含んでおり、各種のハードウェアおよびソフトウェアコンポーネント間の通信を円滑化する。
【００４８】
[0058]通信モジュール１２８は、１つ以上の外部ポート１２４を経た他のデバイスとの通信を円滑化し、また、ＲＦ回路部１０８および／または外部ポート１２４によって受信されたデータを処理するための各種のソフトウェアコンポーネントを含んでいる。外部ポート１２４（例えばＵＳＢ（Ｕｎｉｖｅｒｓａｌ  Ｓｅｒｉａｌ  Ｂｕｓ）、ＦＩＲＥＷＩＲＥ等）は、直接またはネットワーク経由（例えばインターネット、ワイヤレスＬＡＮ等）で間接的に、他のデバイスに接続するように構成される。一部の実施形態では、外部ポートは、ｉＰｏｄ（Ａｐｐｌｅ  Ｉｎｃ．の登録商標）で用いられている３０ピンコネクタと同じ、または類似した、および／または互換性のある、マルチピン（例えば３０ピン）コネクタである。
【００４９】
[0059]接触／動きモジュール１３０は、（ディスプレイコントローラ１５６と連動して）タッチスクリーン１１２とその他のタッチセンシティブデバイス（例えばタッチパッドまたは物理的クリックホイール）との接触を検出してもよい。接触／動きモジュール１３０は、例えば接触が行われたかどうかを（例えば指が下がるイベントを検出して）判定することと、接触の移動があるかどうかを（例えば１つ以上の指がドラッグするイベントを検出して）判定してその移動をタッチスクリーン表面全体にわたって追跡することと、接触が中止されたかどうかを（例えば指が上がるイベントまたは接触の中断を検出して）判定することとのような、接触の検出に関連する各種の操作を行うための各種のソフトウェアコンポーネントを含んでいる。接触／動きモジュール１３０は、タッチセンシティブ表面から接触データを受信する。接点の移動を判定することは、一連の接触データによって表されるのだが、接点の速さ（大小）と、速度（大小および向き）と、および／または加速度（大小および／または向きの変化）とを判定することを含んでもよい。これらの操作は、単一の接触（例えば１本の指の接触）または複数の同時接触（例えば「マルチタッチ」／複数の指の接触）に適用されうる。一部の実施形態では、接触／動きモジュール１３０およびディスプレイコントローラ１５６は、タッチパッド上の接触を検出する。一部の実施形態では、接触／動きモジュール１３０およびコントローラ１６０は、クリックホイール上の接触を検出する。
【００５０】
[0060]接触／動きモジュール１３０は、ユーザによるジェスチャ入力を検出してもよい。タッチセンシティブ表面上の多様なジェスチャは、多様な接触パタンを有する。それゆえ、ジェスチャは、個別の接触パタンを検出することによって検出されうる。例えば、指をタップするジェスチャを検出することは、指が下がるイベントを検出し、その後、指が上がる（リフトオフ）イベントを指が下がるイベントと同じ位置（アイコンの位置）で（または実質的に同じ位置で）検出することを含んでいる。別の例として、タッチセンシティブ表面を指でスワイプするジェスチャを検出することは、指が下がるイベントを検出した後に１つ以上の指をドラッグするイベントを検出し、その後、指が上がる（リフトオフ）イベントを検出することを含んでいる。
【００５１】
[0061]グラフィックスモジュール１３２は、表示されるグラフィックスの輝度を変更するためのコンポーネントを含めて、タッチスクリーン１１２またはその他のディスプレイ上にグラフィックスをレンダリングして表示するための各種の既知のソフトウェアコンポーネントを含んでいる。本明細書では、「グラフィックス」という用語は、テキストと、ウェブページと、（例えば、ソフトキーを含むユーザインタフェースオブジェクトのような）アイコンと、デジタル画像と、ビデオと、アニメーションとそれに類似したものとを限定することなく含めて、ユーザに表示されうるいかなるオブジェクトをも含んでいる。
【００５２】
[0062]一部の実施形態では、グラフィックスモジュール１３２は、用いられることになるグラフィックスを表すデータを記憶している。個々の図形は、対応するコードを割り当てられてもよい。グラフィックスモジュール１３２は、アプリケーション等から、必要に応じて、コーディネートされたデータおよびその他のグラフィックプロパティデータと共に表示されることになるグラフィックスを指定する１つ以上のコードを受信し、次いで、ディスプレイコントローラ１５６に出力するためのスクリーン画像データを生成する。
【００５３】
[0063]テキスト入力モジュール１３４は、グラフィックスモジュール１３２の構成要素であってもよいが、各種のアプリケーション（例えば、連絡先１３７、電子メール１４０、ＩＭ１４１、ブラウザ１４７、そしてテキスト入力を必要とするいずれかの他のアプリケーション）にテキストを入力するためのソフトキーボードおよび／または他のテキスト入力方法を提供する。
【００５４】
[0064]ＧＰＳモジュール１３５は、デバイスの位置を判定し、この情報を各種のアプリケーションで使用するために（例えば位置特定に基づくダイヤル操作で使用するために電話１３８に、ピクチャ／ビデオメタデータとしてカメラ１４３に、例えば天気ウィジェット、ローカル・イエローページ・ウィジェット、地図／航法用ウィジェットのような、位置特定に基づくサービスを提供するアプリケーションに）提供する。
【００５５】
[0065]アプリケーション１３６は、以下のモジュール（または命令の集合）またはそれらの下位集合または上位集合を含んでいてもよい。
・連絡先モジュール１３７（アドレス帳またはコンタクトリストと呼ばれることもある）、
・電話モジュール１３８、
・テレビ会議モジュール１３９、
・電子メールクライアントモジュール１４０、
・インスタントメッセージング（ＩＭ）モジュール１４１、
・エクササイズサポートモジュール１４２、
・静止画像および／またはビデオ画像用のカメラモジュール１４３
・画像管理モジュール１４４、
・ビデオプレーヤモジュール１４５、
・音楽プレーヤモジュール１４６、
・ブラウザモジュール１４７、
・カレンダモジュール１４８、
・天気ウィジェット１４９−１、株式ウィジェット１４９−２、電卓ウィジェット１４９−３、アラームクロックウィジェット１４９−４、辞書ウィジェット１４９−５、およびユーザによって取得されるその他のウィジェットならびにユーザが作成したウィジェット１４９−６のうち１つ以上を含みうるウィジェットモジュール１４９、
・ユーザが作成したウィジェット１４９−６を作成するためのウィジェットクリエータモジュール１５０、
・検索モジュール１５１、
・ビデオプレーヤモジュール１４５と音楽プレーヤモジュール１４６とを結合するビデオおよび音楽プレーヤモジュール１５２、
・メモモジュール１５３、
・地図モジュール１５４、および／または、
・オンラインビデオモジュール１５５。
【００５６】
[0066]メモリ１０２の中に記憶されうるその他のアプリケーション１３６の例には、他の文章作成アプリケーション、他の画像編集アプリケーション、描画アプリケーション、プレゼンテーションアプリケーション、ＪＡＶＡ対応アプリケーション、暗号化、デジタル権利管理、音声認識、および音声複製等が含まれる。
【００５７】
[0067]タッチスクリーン１１２、ディスプレイコントローラ１５６、コンタクトモジュール１２０、グラフィックスモジュール１３２およびテキスト入力モジュール１３４と連動して、連絡先モジュール１３７は、名前をアドレス帳に追加することと、名前をアドレス帳から削除することと、名前に電話番号、電子メールアドレス、物理的アドレスまたはその他の情報を関連付けることと、名前に画像を関連付けることと、名前をカテゴリ化したりソートしたりすることと、電話１３８、テレビ会議１３９、電子メール１４０、またはＩＭ１４１等によって通信を開始および／または円滑化するため、電話番号または電子メールアドレスを提供すること等を含めて、（例えば、メモリ１０２またはメモリ３７０の中の連絡先モジュール１３７のアプリケーション内部状態１９２の中に記憶された）アドレス帳またはコンタクトリストを管理するのに用いられてもよい。
【００５８】
[0068]ＲＦ回路部１０８、音声回路部１１０、スピーカ１１１、マイク１１３、タッチスクリーン１１２、ディスプレイコントローラ１５６、接触モジュール１３０、グラフィックスモジュール１３２およびテキスト入力モジュール１３４と連動して、電話番号に対応する文字のシーケンスを入力し、アドレス帳１３７の中の１つ以上の電話番号にアクセスし、入力された電話番号を修正し、それぞれの電話番号をダイヤルし、会話を行い、そして、会話が完了した時に接続を切るかまたは電話を切るのに電話モジュール１３８を用いてもよい。上記のように、ワイヤレス通信が、複数の通信標準、プロトコルおよび技術のいずれを用いてもよい。
【００５９】
[0069]ＲＦ回路部１０８、音声回路部１１０、スピーカ１１１、マイク１１３、タッチスクリーン１１２、ディスプレイコントローラ１５６、光センサ１６４、光センサコントローラ１５８、接触モジュール１３０、グラフィックスモジュール１３２、テキスト入力モジュール１３４、連絡先リスト１３７および電話モジュール１３８と連動して、テレビ会議モジュール１３９は、ユーザと１人以上の他の参加者との間でユーザの命令に従ってテレビ会議を開始し、実行し、終了するための実行可能な命令を含んでいる。
【００６０】
[0070]ＲＦ回路部１０８、タッチスクリーン１１２、ディスプレイコントローラ１５６、接触モジュール１３０、グラフィックスモジュール１３２およびテキスト入力モジュール１３４と連動して、電子メールクライアントモジュール１４０は、ユーザの命令に応じて電子メールを作成し、送信し、受信し、管理するための実行可能な命令を含んでいる。画像管理モジュール１４４と連動して、電子メールクライアントモジュール１４０は、カメラモジュール１４３で撮影された静止画像またはビデオ画像を添えて電子メールを作成して送信することを非常に容易にする。
【００６１】
[0071]ＲＦ回路部１０８、タッチスクリーン１１２、ディスプレイコントローラ１５６、接触モジュール１３０、グラフィックスモジュール１３２およびテキスト入力モジュール１３４と連動して、インスタントメッセージングモジュール１４１は、インスタントメッセージに対応する文字のシーケンスを入力し、以前に入力した文字を修正し、それぞれのインスタントメッセージを（例えば、電話に基づくインスタントメッセージについてのＳＭＳ（Ｓｈｏｒｔ  Ｍｅｓｓａｇｅ  ＳｅｒｖｉｃｅまたはＭＭＳ（Ｍｕｌｔｉｍｅｄｉａ  Ｍｅｓｓａｇｅ  Ｓｅｒｖｉｃｅ）プロトコルを用いてかまたは、インターネットに基づくインスタントメッセージについてのＸＭＰＰ、ＳＩＭＰＬＥ、ＩＭＰＳを用いて）送信し、インスタントメッセージを受信し、そして受信されたインスタントメッセージを見るための実行可能な命令を含んでいる。一部の実施形態では、送信された、および／または、受信されたインスタントメッセージには、ＭＭＳおよび／またはＥＭＳ（Ｅｎｈａｎｃｅｄ  Ｍｅｓｓａｇｉｎｇ  Ｓｅｒｖｉｃｅ）でサポートされるように、グラフィックス、写真、音声ファイル、ビデオファイル、および／または、その他の添付物が含まれてもよい。本明細書では、「インスタントメッセージング」とは、電話に基づくメッセージ（例えばＳＭＳまたはＭＭＳを用いて送信されるメッセージ）とインターネットに基づくメッセージ（例えばＸＭＰＰ、ＳＩＭＰＬＥ，またはＩＭＰＳを用いて送信されるメッセージ）との両方のことを言う。
【００６２】
[0072]ＲＦ回路部１０８、タッチスクリーン１１２、ディスプレイコントローラ１５６、接触モジュール１３０、グラフィックスモジュール１３２、テキスト入力モジュール１３４、ＧＰＳモジュール１３５、地図モジュール１５４および音楽プレーヤモジュールと連動して、エクササイズサポートモジュール１４２は、エクササイズを（例えば、時間、距離、および／またはカロリー燃焼目標を添えて）作成し、エクササイズセンサ（スポーツデバイス）と通信し、エクササイズセンサデータを受信し、エクササイズを監視するのに用いられるセンサを較正し、エクササイズ用の音楽を選択して演奏し、そして、エクササイズデータを表示・記憶・送信するための実行可能な命令を含んでいる。
【００６３】
[0073]タッチスクリーン１１２、ディスプレイコントローラ１５６、光センサ１６４、光センサコントローラ１５８、接触モジュール１３０、グラフィックスモジュール１３２および画像管理モジュール１４４と連動して、カメラモジュール１４３は、静止画像またはビデオ（ビデオストリームを含めて）をキャプチャしてそれらをメモリ１０２の中に記憶し、静止画像またはビデオの特性を修正し、あるいは、静止画像またはビデオをメモリ１０２から削除するための実行可能な命令を含んでいる。
【００６４】
[0074]タッチスクリーン１１２、ディスプレイコントローラ１５６、接触モジュール１３０、グラフィックスモジュール１３２、テキスト入力モジュール１３４およびカメラモジュール１４３と連動して、画像管理モジュール１４４は、静止画像および／またはビデオ画像を校正し、修正（例えば編集）し、または他の要領で操作し、ラベルを付け、削除し、（例えばデジタルスライドショーまたはアルバムとして）提示し、そして、記憶するための実行可能な命令を含んでいる。
【００６５】
[0075]タッチスクリーン１１２、ディスプレイコントローラ１５６、接触モジュール１３０、グラフィックスモジュール１３２、音声回路部１１０およびスピーカ１１１と連動して、ビデオプレーヤモジュール１４５は、ビデオを表示し、提示し、またはその他の要領で（例えばタッチスクリーン１１２上に、または外部ポート１２４を介して外部の接続されたディスプレイ上に）再生するための実行可能な命令を含んでいる。
【００６６】
[0076]タッチスクリーン１１２、ディスプレイシステムコントローラ１５６、接触モジュール１３０、グラフィックスモジュール１３２、音声回路部１１０、スピーカ１１１、ＲＦ回路部１０８、およびブラウザモジュール１４７と連動して、音楽プレーヤモジュール１４６は、例えばＭＰ３またはＡＡＣファイルのような１つ以上のファイル形式で記憶された、録音された音楽およびその他の音声ファイルをユーザがダウンロードして再生することを可能にする実行可能な命令を含んでいる。一部の実施形態では、デバイス１００は、例えばｉＰｏｄ（Ａｐｐｌｅ  Ｉｎｃ．の登録商標）のようなＭＰ３プレーヤの機能性を含んでいてもよい。
【００６７】
[0077]ＲＦ回路部１０８、タッチスクリーン１１２、ディスプレイシステムコントローラ１５６、接触モジュール１３０、グラフィックスモジュール１３２およびテキスト入力モジュール１３４と連動して、ブラウザモジュール１４７は、ウェブページまたはその部分だけでなくウェブページにリンクされた添付ファイルおよびその他のファイルをも、検索し、それにリンクし、受信し、そして表示することを含めて、ユーザ命令に従ってインターネットを閲覧するための実行可能な命令を含んでいる。
【００６８】
[0078]ＲＦ回路部１０８、タッチスクリーン１１２、ディスプレイシステムコントローラ１５６、接触モジュール１３０、グラフィックスモジュール１３２、テキスト入力モジュール１３４、電子メールクライアントモジュール１４０およびブラウザモジュール１４７と連動して、カレンダモジュール１４８は、ユーザ命令に従って、カレンダおよびカレンダに関連するデータ（例えばカレンダのエントリ、やることリスト等）を作成し、表示し、修正し、記憶するための実行可能な命令を含んでいる。
【００６９】
[0079]ＲＦ回路部１０８、タッチスクリーン１１２、ディスプレイシステムコントローラ１５６、接触モジュール１３０、グラフィックスモジュール１３２、テキスト入力モジュール１３４およびブラウザモジュール１４７と連動して、ウィジェットモジュール１４９は、ユーザによってダウンロードされ、使用されうる（例えば、天気ウィジェット１４９−１、株式ウィジェット１４９−２、電卓ウィジェット１４９−３、アラームクロックウィジェット１４９−４、および辞書ウィジェット１４９−５）かまたはユーザによって作成されうる（例えばユーザが作成したウィジェット１４９−６）ミニアプリケーションである。一部の実施形態では、ウィジェットは、ＨＴＭＬ（Ｈｙｐｅｒｔｅｘｔ  Ｍａｒｋｕｐ  Ｌａｎｇｕａｇｅ）ファイルと、ＣＳＳ（Ｃａｓｃａｄｉｎｇ  Ｓｔｙｌｅ  Ｓｈｅｅｔｓ）ファイルと、ＪａｖａＳｃｒｉｐｔファイルとを含んでいる。一部の実施形態では、ウィジェットは、ＸＭＬ（Ｅｘｔｅｎｓｉｂｌｅ  Ｍａｒｋｕｐ  Ｌａｎｇｕａｇｅ）ファイルと、ＪａｖａＳｃｒｉｐｔファイル（例えばＹａｈｏｏ！Ｗｉｄｇｅｔｓ）とを含んでいる。
【００７０】
[0080]ＲＦ回路部１０８、タッチスクリーン１１２、ディスプレイシステムコントローラ１５６、接触モジュール１３０、グラフィックスモジュール１３２、テキスト入力モジュール１３４およびブラウザモジュール１４７と連動して、ウィジェットクリエータモジュール１５０が、（例えば、ウェブページのユーザ指定部分をウィジェットに変えて）ウィジェットを作成するためにユーザによって使用されてもよい。
【００７１】
[0081]タッチスクリーン１１２、ディスプレイシステムコントローラ１５６、接触モジュール１３０、グラフィックスモジュール１３２およびテキスト入力モジュール１３４と連動して、検索モジュール１５１は、ユーザの命令による１つ以上の検索基準（例えば１つ以上のユーザ指定の検索語）に合致するテキスト、音楽、音声、画像、ビデオ、および／またはメモリ１０２の中のその他のファイルを検索するための実行可能な命令を含んでいる。
【００７２】
[0082]タッチスクリーン１１２、ディスプレイコントローラ１５６、接触モジュール１３０、グラフィックスモジュール１３２およびテキスト入力モジュール１３４と連動して、メモモジュール１５３は、ユーザ命令に従って、メモ、やることリスト等を作成して管理するための実行可能な命令を含んでいる。
【００７３】
[0083]ＲＦ回路部１０８、タッチスクリーン１１２、ディスプレイシステムコントローラ１５６、接触モジュール１３０、グラフィックスモジュール１３２、テキスト入力モジュール１３４、ＧＰＳモジュール１３５およびブラウザモジュール１４７と連動して、地図モジュール１５４は、ユーザ命令に従って、地図および地図に関連するデータ（例えば、ドライブの指示、店に関するデータ、および個別の位置またはその近くにおけるその他の観光スポット、およびその他の位置特定に基づくデータ）を受信し、表示し、修正し、そして記憶するために用いられうる。
【００７４】
[0084]タッチスクリーン１１２、ディスプレイシステムコントローラ１５６、接触モジュール１３０、グラフィックスモジュール１３２、音声回路部１１０、スピーカ１１１、ＲＦ回路部１０８、テキスト入力モジュール１３４、電子メールクライアントモジュール１４０およびブラウザモジュール１４７と連動して、オンラインビデオモジュール１５５は、ユーザがアクセスし、閲覧し、（例えばストリーミングおよび／またはダウンロードによって）受信し、（例えばタッチスクリーン上で、または、外部ポート１２４を介して接続された外部のディスプレイ上で）再生し、個別のオンラインビデオへのリンクを持つ電子メールを送信し、そして、例えばＨ．２６４のような１つ以上のファイル形式のオンラインビデオをその他の要領で管理することを可能にする命令を含んでいる。一部の実施形態では、電子メールクライアントモジュール１４０ではなく、インスタントメッセージングモジュール１４１を用いて、個別のオンラインビデオへのリンクを送信する。オンラインビデオアプリケーションの追加記述は、２００７年６月２０日に出願された米国仮特許出願第６０／９３６，５６２号「Ｐｏｒｔａｂｌｅ  Ｍｕｌｔｉｆｕｎｃｔｉｏｎ  Ｄｅｖｉｃｅ，  Ｍｅｔｈｏｄ，  ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」および２００７年１２月３１日に出願された米国特許出願第１１／９６８，０６７号「Ｐｏｒｔａｂｌｅ  Ｍｕｌｔｉｆｕｎｃｔｉｏｎ  Ｄｅｖｉｃｅ，  Ｍｅｔｈｏｄ，  ａｎｄ  Ｇｒａｐｈｉｃａｌ  Ｕｓｅｒ  Ｉｎｔｅｒｆａｃｅ  ｆｏｒ  Ｐｌａｙｉｎｇ  Ｏｎｌｉｎｅ  Ｖｉｄｅｏｓ」に記載されており、その内容を全部、参照により本願に援用する。
【００７５】
[0085]上記の識別されたモジュールおよびアプリケーションの各々は、上記の１つ以上の機能と本願に記述する方法（例えば、本明細書で記述したコンピュータに実装された方法と、その他の情報処理方法）とを行うための実行可能な命令の集合に対応する。これらのモジュール（すなわち命令の集合）は、別個のソフトウェア、手順またはモジュールとして実装される必要はなく、それゆえ、各種のこれらのモジュールの部分集合が、各種の実施形態の中で組み合わされたり、その他の要領で再構成されたりしてもよい。例えば、ビデオプレーヤモジュール１４５は、音楽プレーヤモジュール１４６と組み合わされて、単一のモジュール（例えば、図１Ｂのビデオおよび音楽プレーヤモジュール１５２）にされてもよい。一部の実施形態では、メモリ１０２は、上記で識別したモジュールおよびデータ構造の部分集合を記憶してもよい。さらに、メモリ１０２は、上記で記述されていない追加のモジュールおよびデータ構造を記憶してもよい。
【００７６】
[0086]一部の実施形態では、デバイス１００は、デバイス上の機能の事前設定された集合の操作が、まったくタッチスクリーンおよび／またはタッチパッドだけを通して行われるようなデバイスである。タッチスクリーンおよび／またはタッチパッドをデバイス１００の操作用の主要な入力制御デバイスとして用いることによって、デバイス１００上の物理的入力制御デバイス（例えばプッシュボタン、ダイヤル等）の数が削減されうる。
【００７７】
[0087]まったくタッチスクリーンおよび／またはタッチパッドだけを通して行われうる事前設定された機能の集合には、ユーザインタフェース間のナビゲーションが含まれる。一部の実施形態では、ユーザがタッチすると、タッチパッドがデバイス１００を、デバイス１００上に表示されうるいかなるユーザインタフェースからもメイン、ホーム、またはルートメニューへとナビゲートする。そのような実施形態では、タッチパッドは、「メニューボタン」と呼ばれてもよい。一部のその他の実施形態では、メニューボタンは、タッチパッドの代わりに、物理的なプッシュボタンまたはその他の物理的な入力制御デバイスであってもよい。
【００７８】
[0088]図１Ｃは、一部の実施形態による、イベント処理のための例示的な構成要素を示すブロック図である。一部の実施形態では、（図１Ａおよび図１Ｂの）メモリ１０２または（図３の）メモリ３７０は、（例えばオペレーティングシステム１２６の中に）イベントソータ１７０と、それぞれのアプリケーション１３６−１（例えば前述のアプリケーション１３７乃至１５１、１５５、３８０乃至３９０のうちのいずれか）とを含んでいる。
【００７９】
[0089]イベントソータ１７０は、イベント情報を受信して、アプリケーション１３６−１と、イベント情報の配信先であるアプリケーション１３６−１のアプリケーションビュー１９１とを判定する。イベントソータ１７０は、イベントモニタ１７１とイベント発送モジュール１７４とを含んでいる。一部の実施形態では、アプリケーション１３６−１は、アプリケーションがアクティブであるか実行中である場合にタッチセンシティブディスプレイ１１２上に表示される現在のアプリケーションビューを示す、アプリケーション内部状態１９２を含んでいる。一部の実施形態では、イベントソータ１７０は、デバイス／グローバル内部状態１５７を用いて、どのアプリケーションが現在アクティブであるのかを判定し、そして、アプリケーション内部状態１９２を用いて、イベント情報の配信先であるアプリケーションビュー１９１を判定する。
【００８０】
[0090]一部の実施形態では、アプリケーション内部状態１９２は、追加情報として、例えば、アプリケーション１３６−１が実行を再開する時に用いられることになる再開情報と、アプリケーション１３６−１によって表示されているかまたは表示される準備ができている情報を示すユーザインタフェース状態情報と、アプリケーション１３６−１の以前の状態またはビューにユーザが戻ることを可能にするための状態の待ち行列と、ユーザが行った以前の動作のやり直しまたは取り消しの待ち行列とのうちの１つ以上を含んでいる。
【００８１】
[0091]イベントモニタ１７１は、周辺装置インタフェース１１８からイベント情報を受信する。イベント情報には、サブイベント（例えば、マルチタッチジェスチャの一部として、タッチセンシティブディスプレイ１１２上のユーザのタッチ）についての情報が含まれる。周辺装置インタフェース１１８は、Ｉ／Ｏサブシステム１０６、または、例えば近接センサ１６６のようなセンサ、加速度計１６８、および／または（音声回路部１１０を通して）マイク１１３から受信する情報を送信する。周辺装置インタフェース１１８がＩ／Ｏサブシステム１０６から受信する情報は、タッチセンシティブディスプレイ１１２またはタッチセンシティブ表面からの情報を含んでいる。
【００８２】
[0092]一部の実施形態では、イベントモニタ１７１は、所定の間隔で周辺装置インタフェース１１８に要求を送信する。それに応じて、周辺装置インタフェース１１８は、イベント情報を送信する。その他の実施形態では、周辺装置インタフェース１１８は、重大なイベント（例えば、所定の雑音閾値を超える、および／または、所定の持続時間を超える入力を受信すること）がある場合に限って、イベント情報を送信する。
【００８３】
[0093]また、一部の実施形態では、イベントソータ１７０は、ヒットビュー判定モジュール１７２および／またはアクティブイベント・レコグナイザ判定モジュール１７３を含んでいる。
【００８４】
[0094]ヒットビュー判定モジュール１７２は、タッチセンシティブディスプレイ１１２が２つ以上のビューを表示した時、サブイベントが１つ以上のビューの中のどこで発生したかを判定するためのソフトウェア手順を提供する。ビューは、ユーザがディスプレイ上で見ることのできる制御部およびその他の要素で構成されている。
【００８５】
[0095]アプリケーションに関連するユーザインタフェースのもう１つの態様は、本明細書ではアプリケーションビューまたはユーザインタフェースウィンドウと呼ばれることもあるビューの集合であり、その中で情報が表示され、タッチに基づくジェスチャが行われる。その中でタッチが検出される（それぞれのアプリケーションの）アプリケーションビューは、アプリケーションのプログラマチック階層またはビュー階層の中のプログラマチックレベルに対応してもよい。例えば、タッチが検出される最低のレベルのビューは、ヒットビューと呼ばれてもよく、適切な入力として認められるイベントの集合は、タッチに基づくジェスチャを開始する最初のタッチのヒットビューに、少なくとも部分的に、基づいて判定されてもよい。
【００８６】
[0096]ヒットビュー判定モジュール１７２は、タッチに基づくジェスチャのサブイベントに関する情報を受信する。アプリケーションが、階層として編成された複数のビューを有する場合、ヒットビュー判定モジュール１７２は、ヒットビューを、サブイベントを処理すべき階層の中の最低のビューとして識別する。ほとんどの状況では、ヒットビューは、最初のサブイベント（すなわち、イベントまたは潜在的イベントを形成するサブイベントのシーケンスの中の最初のサブイベント）が生じる最低レベルのビューである。一旦ヒットビューがヒットビュー判定モジュールによって識別されると、ヒットビューは典型的には、ヒットビューとして識別された同じタッチすなわち入力源に関するすべてのサブイベントを受信する。
【００８７】
[0097]アクティブイベント・レコグナイザ判定モジュール１７３は、ビューの階層の中でどのビューがサブイベントの個別のシーケンスを受信すべきかを判定する。一部の実施形態では、アクティブイベント・レコグナイザ判定モジュール１７３は、ヒットビューだけが、サブイベントの個別のシーケンスを受信するべきだと判定する。その他の実施形態では、アクティブイベント・レコグナイザ判定モジュール１７３は、サブイベントの物理的位置を含むすべてのビューが、アクティブに関わっているビューであると判定し、従って、すべてのアクティブに関わっているビューが、サブイベントの個別のシーケンスを受信すべきだと判定する。その他の実施形態では、たとえタッチサブイベントが、１つの個別のビューに関連するエリアに完全に限定されたとしても、階層の中のより上位のビューは、やはり、アクティブに関わっているビューのままであり続けるだろう。
【００８８】
[0098]イベント発送モジュール１７４は、イベント情報をイベントレコグナイザ（例えばイベントレコグナイザ１８０）へ発送する。アクティブイベント・レコグナイザ判定モジュール１７３を含む実施形態では、イベント発送モジュール１７４は、アクティブイベント・レコグナイザ判定モジュール１７３によって判定されたイベントレコグナイザへイベント情報を配信する。一部の実施形態では、イベント発送モジュール１７４は、それぞれのイベント受信器モジュール１８２によって取得されたイベント情報を、イベント待ち行列に記憶する。
【００８９】
[0099]一部の実施形態では、オペレーティングシステム１２６はイベントソータ１７０を含んでいる。あるいは、アプリケーション１３６−１がイベントソータ１７０を含んでいる。別の実施形態では、イベントソータ１７０は、スタンドアロンモジュールであるかまたは、例えば接触／動きモジュール１３０のような、メモリ１０２の中に記憶された別のモジュールの一部である。
【００９０】
[00100]一部の実施形態では、アプリケーション１３６−１は、複数のイベントハンドラ１９０と１つ以上のアプリケーションビュー１９１とを含んでおり、その各々は、アプリケーションのユーザインタフェースのそれぞれのビューの中で生じるタッチイベントを処理するための命令を含んでいる。アプリケーション１３６−１の個々のアプリケーションビュー１９１は、１つ以上のイベントレコグナイザ１８０を含んでいる。典型的には、それぞれのアプリケーションビュー１９１は、複数のイベントレコグナイザ１８０を含んでいる。他の実施形態では、１つ以上のイベントレコグナイザ１８０は、例えばユーザインタフェースキット（図示せず）かまたは、そこからアプリケーション１３６−１が方法および他のプロパティを継承する高位レベルオブジェクトのような、別個のモジュールの一部である。一部の実施形態では、それぞれのイベントハンドラ１９０は、データ更新器１７６と、オブジェクト更新器１７７と、ＧＵＩ更新器１７８と、および／または、イベントソータ１７０から受信されたイベントデータ１７９とのうち１つ以上を含んでいる。イベントハンドラ１９０は、データ更新器１７６か、オブジェクト更新器１７７かまたはＧＵＩ更新器１７８を利用するかまたは呼び出して、アプリケーション内部状態１９２を更新してもよい。あるいは、アプリケーションビュー１９１のうちの１つ以上は、１つ以上のそれぞれのイベントハンドラ１９０を含んでいる。また、一部の実施形態では、データ更新器１７６と、オブジェクト更新器１７７と、ＧＵＩ更新器１７８とのうち１つ以上が、それぞれのアプリケーションビュー１９１の中に含まれている。
【００９１】
[00101]それぞれのイベントレコグナイザ１８０は、イベント情報（例えばイベントデータ１７９）をイベントソータ１７０から受信し、そして、イベント情報からイベントを識別する。イベントレコグナイザ１８０は、イベント受信器１８２と、イベント比較器１８４とを含んでいる。また、一部の実施形態では、イベントレコグナイザ１８０は、メタデータ１８３と、（サブイベント配信命令を含みうる）イベント配信命令１８８との少なくとも部分集合を含んでいる。
【００９２】
[00102]イベント受信器１８２は、イベント情報をイベントソータ１７０から受信する。イベント情報は、サブイベントについての情報、例えば、タッチまたはタッチの移動を含んでいる。また、サブイベントに依存して、イベント情報は、例えばサブイベントの位置のような、追加情報を含んでいる。また、サブイベントが、タッチの動きに関わる場合、イベント情報は、サブイベントの速度および向きを含んでもよい。一部の実施形態では、イベントは、１つの向きから別の向きへの（例えばポートレートの向きからランドスケープの向きへの、またはその逆の）デバイスの回転を含んでおり、イベント情報は、デバイスの現在の向き（デバイスの姿勢とも呼ばれる）についての対応する情報を含んでいる。
【００９３】
[00103]イベント比較器１８４は、イベント情報を事前設定されたイベントまたはサブイベント定義と比較し、そして、比較に基づいて、イベントもしくはサブイベントを判定するかまたは、イベントもしくはサブイベントの状態を判定または更新する。一部の実施形態では、イベント比較器１８４は、イベント定義１８６を含んでいる。イベント定義１８６は、イベントの定義（例えば、事前設定されたサブイベントのシーケンス）、例えば、イベント１（１８７−１）、イベント２（１８７−２）等を含んでいる。一部の実施形態では、イベント１８７のサブイベントは、例えば、タッチ開始、タッチ終了、タッチ動作、タッチ中止、および複数のタッチを含んでいる。一例では、イベント１（１８７−１）についての定義は、表示されたオブジェクト上の２回のタップである。２回のタップは、例えば、所定の段階についての表示されたオブジェクト上の第１のタッチ（タッチ開始）と、所定の段階についての第１のリフトオフ（タッチ終了）と、所定の段階についての表示されたオブジェクト上の第２のタッチ（タッチ開始）と、所定の段階についての第２のリフトオフ（タッチ終了）とを含んでいる。別の例では、イベント２（１８７−２）についての定義は、表示されたオブジェクト上のドラッギングである。ドラッギングは、例えば、所定の段階についての表示されたオブジェクト上のタッチ（または接触）と、タッチセンシティブディスプレイ１１２を横断するタッチの移動と、タッチのリフトオフ（タッチ終了）とを含んでいる。また、一部の実施形態では、イベントは、１つ以上の関連するイベントハンドラ１９０についての情報を含んでいる。
【００９４】
[00104]一部の実施形態では、イベント定義１８７は、それぞれのユーザインタフェースオブジェクトについてのイベントの定義を含んでいる。一部の実施形態では、イベント比較器１８４は、どのユーザインタフェースオブジェクトがサブイベントに関連しているかを判定するため、ヒットテストを行う。例えば、３つのユーザインタフェースオブジェクトがタッチセンシティブディスプレイ１１２上に表示されているアプリケーションウィンドウにおいて、タッチセンシティブディスプレイ１１２上でタッチが検出された時、イベント比較器１８４は、３つのユーザインタフェースオブジェクトのうちのどれがタッチ（サブイベント）に関連しているかを判定するため、ヒットテストを行う。個々の表示されたオブジェクトがそれぞれのイベントハンドラ１９０に関連付けられると、イベント比較器は、ヒットテストの結果を用いて、どのイベントハンドラ１９０が起動されるべきかを判定する。例えば、イベント比較器１８４は、ヒットテストをトリガするサブイベントおよびオブジェクトに関連するイベントハンドラを選択する。
【００９５】
[00105]また、一部の実施形態では、それぞれのイベント１８７についての定義は、サブイベントのシーケンスがイベントレコグナイザのイベントタイプに対応しているか否かが判定されるまでイベント情報の配信を遅らせる遅延作用を含んでいる。
【００９６】
[00106]それぞれのイベントレコグナイザ１８０が、一連のサブイベントはイベント定義１８６の中のいずれのイベントにも合致しないと判定した場合、それぞれのイベントレコグナイザ１８０は、イベント不可能、イベント失敗、またはイベント終了状態を入力し、その後は、タッチに基づくジェスチャのその後のサブイベントを無視する。この状況では、もしあれば、ヒットビューについてアクティブであり続けるその他のイベントレコグナイザは、進行中のタッチに基づくジェスチャのサブイベントの追跡と処理とを続ける。
【００９７】
[00107]一部の実施形態では、それぞれのイベントレコグナイザ１８３は、構成可能なプロパティと、フラグと、および／または、イベント配信システムがどのようにしてアクティブに関わっているイベントレコグナイザへのサブイベント配信を行うかを示すリストとを備えたメタデータ１８３を含んでいる。一部の実施形態では、メタデータ１８３は、構成可能なプロパティと、フラグと、および／または、イベントレコグナイザがどのようにして相互に対話しうるかを示すリストとを含んでいる。一部の実施形態では、メタデータ１８３は、構成可能なプロパティと、フラグと、および／または、サブイベントがビュー階層またはプログラマチック階層の中の多様なレベルへ配信されるかどうかを示すリストとを含んでいる。
【００９８】
[00108]一部の実施形態では、それぞれのイベントレコグナイザ１８０は、イベントのうちの１つ以上の個別のサブイベントが認識された場合にイベントに関連するイベントハンドラ１９０を起動する。一部の実施形態では、それぞれのイベントレコグナイザ１８０は、イベントに関連するイベント情報をイベントハンドラ１９０に配信する。イベントハンドラ１９０を起動することは、サブイベントをそれぞれのヒットビューに送信すること（および送信を延期すること）とは区別される。一部の実施形態では、イベントレコグナイザ１８０は、認識されたイベントに関連するフラグをスロー(throw)し、そして、フラグに関連するイベントハンドラ１９０は、フラグをキャッチ(catch)して事前設定されたプロセスを行う。
【００９９】
[00109]一部の実施形態では、イベント配信命令１８８は、イベントハンドラを起動することなくサブイベントについてのイベント情報を配信するサブイベント配信命令を含んでいる。代わりに、サブイベント配信命令は、イベント情報を、一連のイベントハンドラに関連するイベントハンドラに、またはアクティブに関わっているビューに配信する。一連のイベントハンドラにかまたはアクティブに関わっているビューに関連するイベントハンドラは、イベント情報を受信して、所定のプロセスを行う。
【０１００】
[00110]一部の実施形態では、データ更新器１７６は、アプリケーション１３６−１で用いられるデータを作成して更新する。例えば、データ更新器１７６は、連絡先モジュール１３７の中で用いられる電話番号を更新し、またはビデオプレーヤモジュール１４５の中で用いられるビデオファイルを記憶する。一部の実施形態では、オブジェクト更新器１７７は、アプリケーション１３６−１で用いられるオブジェクトを作成して更新する。例えば、オブジェクト更新器１７７は、新たなユーザインタフェースオブジェクトを作成するかまたは、ユーザインタフェースオブジェクトの位置を更新する。ＧＵＩ更新器１７８は、ＧＵＩを更新する。例えば、ＧＵＩ更新器１７８は、ディスプレイ情報を準備して、それをグラフィックスモジュール１３２へ送信してタッチセンシティブディスプレイ上に表示させる。
【０１０１】
[00111]一部の実施形態では、イベントハンドラ１９０は、データ更新器１７６と、オブジェクト更新器１７７と、ＧＵＩ更新器１７８とを含んでいるかまたはそれらにアクセスする。一部の実施形態では、データ更新器１７６と、オブジェクト更新器１７７と、ＧＵＩ更新器１７８とは、それぞれのアプリケーション１３６−１またはアプリケーションビュー１９１の単一のモジュールの中に含まれている。その他の実施形態では、それらは、２つ以上のソフトウェアモジュールの中に含まれている。
【０１０２】
[00112]理解されるべきだが、タッチセンシティブディスプレイ上のユーザのタッチについてのイベント処理に関する前述の議論は、入力デバイスを使って多機能デバイス１００を操作するための他の形のユーザ入力にも適用されるのであるが、そのすべてがタッチスクリーン上で開始されるのではなく、例えば、マウスの移動やマウスボタンの押し下げを、１つまたは複数のキーボードの押し下げや保持、タッチパッド上のユーザの移動のタップ、ドラッグ、スクロール等、ペンスタイラス入力、デバイスの動き、口頭の命令、検出された目の動き、バイオメトリック入力、および／またはいずれかのそれらの組み合わせと組み合わせるかまたは組み合わせることなく統合し、それらが、認識されることになるイベントを定義するサブイベントに対応する入力として利用されてもよい。
【０１０３】
[00113]図２は、一部の実施形態による、タッチスクリーン１１２を有する携帯用多機能デバイス１００を示す図である。タッチスクリーンは、ユーザインタフェース（ＵＩ）２００の中に１つ以上のグラフィックスを表示してもよい。本実施形態および以下に記述するその他の実施形態では、ユーザは、例えば１つ以上の指２０２（図では原寸に比例して描かれてはいない）または１つ以上のスタイラス２０３（図では原寸に比例して描かれてはいない）を使ってグラフィックスに接触するかまたはタッチすることによって、１つ以上のグラフィックスを選択してもよい。一部の実施形態では、１つ以上のグラフィックスの選択は、ユーザが１つ以上のグラフィックスとの接触を中断する時に行われる。一部の実施形態では、接触には、デバイス１００と接触していた指のジェスチャ、例えば１つ以上のタップ、１つ以上のスワイプ（左から右へ、右から左へ、上へおよび／または下へ）および／またはローリング（左から右へ、右から左へ、上へおよび／または下へ）が含まれうる。一部の実施形態では、グラフィックとの不注意な接触は、グラフィックを選択しなくてもよい。例えば、選択に対応するジェスチャがタップである場合、アプリケーションのアイコンをスワイプするジェスチャは、対応するアプリケーションを選択しなくてもよい。
【０１０４】
[00114]また、デバイス１００は、例えば「ホーム」またはメニューボタン２０４のような、１つ以上の物理的ボタンを含んでいてもよい。前述したように、メニューボタン２０４を用いて、デバイス１００上で実行されうるアプリケーションの集合の中のいずれかのアプリケーション１３６へのナビゲートが行われてもよい。あるいは、一部の実施形態では、メニューボタンは、タッチスクリーン１１２上に表示されるＧＵＩの中のソフトキーとして実装される。
【０１０５】
[00115]一実施形態では、デバイス１００は、タッチスクリーン１１２と、メニューボタン２０４と、デバイスの電源をオン／オフにしてデバイスをロックするためのプッシュボタン２０６と、音声調整ボタン２０８と、ＳＩＭ（Ｓｕｂｓｃｒｉｂｅｒ  Ｉｄｅｎｔｉｔｙ  Ｍｏｄｕｌｅ）カードスロット２１０と、ヘッドフォンジャック２１２と、ドッキング／充電用外部ポート１２４とを含んでいる。プッシュボタン２０６を用いて、ボタンを押して事前設定された時間間隔の間ボタンを押された状態に保持することによってデバイスの電源をオン／オフにし、ボタンを押して事前設定された時間間隔が経過する前にボタンを解放することによってデバイスをロックし、および／または、デバイスのロックを解除して、ロック解除プロセスを開始してもよい。また、代替的実施形態では、デバイス１００は、マイク１１３を通して一部の機能の起動または停止のための口頭入力を受け入れてもよい。
【０１０６】
[00116]図３Ａは、一部の実施形態による、ディスプレイとタッチセンシティブ表面とを備えた例示的な多機能デバイスのブロック図である。デバイス３００は携帯用である必要はない。一部の実施形態では、デバイス３００は、ラップトップコンピュータ、デスクトップコンピュータ、タブレットコンピュータ、マルチメディアプレーヤデバイス、ナビゲーションデバイス、（例えば子供の学習玩具のような）教育デバイス、ゲーミングシステム、または制御デバイス（例えばホームまたは業務用コントローラ）である。デバイス３００は、典型的には、１つ以上の処理ユニット（ＣＰＵ）３１０と、１つ以上のネットワーク通信インタフェースまたはその他の通信インタフェース３６０と、メモリ３７０と、これらの構成要素を相互接続するための１つ以上の通信バス３２０とを含んでいる。通信バス３２０は、システムの構成要素間の通信を相互接続して制御する回路部（チップセットと呼ばれることもある）を含んでいてもよい。デバイス３００は、典型的にはタッチスクリーンディスプレイであるディスプレイ３４０を含むＩ／Ｏ（ｉｎｐｕｔ／ｏｕｔｐｕｔ）インタフェース３３０を含んでいる。また、Ｉ／Ｏインタフェース３３０は、キーボードおよび／またはマウス（またはその他のポインティングデバイス）３５０とタッチパッド３５５とを含んでいてもよい。メモリ３７０は、高速ランダムアクセスメモリ、例えばＤＲＡＭ、ＳＲＡＭ、ＤＤＲ  ＲＡＭまたはその他のランダムアクセス・ソリッドステート・メモリデバイスを含んでおり、また、不揮発性メモリ、例えば、１つ以上の磁気ディスクストレージデバイス、光学ディスクストレージデバイス、フラッシュメモリデバイス、またはその他の不揮発性ソリッドステート・ストレージデバイスを含んでいてもよい。メモリ３７０は、任意で、ＣＰＵ３１０から離れた位置の１つ以上のストレージデバイスを含んでいてもよい。一部の実施形態では、メモリ３７０は、携帯用多機能デバイス１００（図１）のメモリ１０２の中に記憶されたプログラム、モジュールおよびデータ構造と類似したプログラム、モジュールおよびデータ構造、またはそのサブセットを記憶している。さらに、メモリ３７０は、携帯用多機能デバイス１００のメモリ１０２の中に現存しない追加のプログラム、モジュールおよびデータ構造を記憶してもよい。例えば、デバイス３００のメモリ３７０は、描画モジュール３８０、プレゼンテーションモジュール３８２、ワードプロセッシングモジュール３８４、ウェブサイト作成モジュール３８６、ディスクオーサリングモジュール３８８、および／または、表計算モジュール３９０を記憶してもよいが、一方で、携帯用多機能デバイス１００（図１）のメモリ１０２は、これらのモジュールを記憶しなくてもよい。
【０１０７】
[00117]上記で識別した図３Ａの個々の要素は、前述した１つ以上のメモリデバイスの中に記憶されてもよい。上記で識別した個々のモジュールは、上記の機能を行うための命令の集合に対応する。上記で識別したモジュールまたはプログラム（すなわち、命令の集合）は、別個のソフトウェアプログラム、手順またはモジュールとして実装される必要はなく、それゆえ、これらのモジュールの各種の部分集合が、各種の実施形態の中で組み合わされてもよいし、その他の要領で再構成されてもよい。一部の実施形態では、メモリ３７０は、上記で識別したモジュールおよびデータ構造の部分集合を記憶してもよい。さらに、メモリ３７０は、上述していない追加のモジュールおよびデータ構造を記憶してもよい。
【０１０８】
[00118]電子デバイス３００は、キーボード／マウス３５０およびタッチパッド３５５を組み込んだＩ／Ｏインタフェース３３０を有する多機能デバイスとして描写されているが、一部の実施形態では、図３Ｂに示すように、電子デバイス３００−１は、キーボード、マウス、または独立したタッチパッドを使用せずにタッチスクリーン１１２を使用する携帯用電子デバイスである。一部の実施形態では、デバイス３００は、タッチスクリーン１１２を有する携帯用電子デバイスであり、主に携帯用メディアプレーヤとして使用される。
【０１０９】
[00119]例えば、携帯用電子デバイス３００−１は、この例では共に２インチである幅１１２−ｗおよび高さ１１２−ｈのタッチスクリーン１１２を有する。タッチスクリーン１１２に重ねて示されるユーザの親指３９９は、タッチスクリーン１１２の幅１１２−ｗまたは高さ１１２−ｈの約半分である。
【０１１０】
[00120]一部の携帯用メディアプレーヤの実施形態では、タッチスクリーン１１２は、幅および／または高さに関して２インチまたはそれ以下の物理サイズを持っていてもよい。一部の携帯用メディアプレーヤの実施形態では、タッチスクリーン１１２は、幅および／または高さに関して６００ピクセルまたはそれ以下の画面解像度を持っていてもよい。一部の携帯用メディアプレーヤの実施形態では、タッチスクリーン１１２は、幅および／または高さに関して９００ピクセルまたはそれ以下の画面解像度を持っていてもよい。一部の携帯用メディアプレーヤの実施形態では、タッチスクリーン１１２は、幅および／または高さに関して１２００ピクセルまたはそれ以下の画面解像度を持っていてもよい。
【０１１１】
[00121]一部の実施形態では、メモリ３７０は、上で特定したモジュールおよびデータ構造のサブセットを格納してもよい。一部の携帯用メディアプレーヤの実施形態では、電子デバイス３００−１は、より小さい物理デバイスであってもよく、典型的には、上で特定したモジュール、データ構造、およびアプリケーション（これらは、フル機能の携帯用多機能デバイスにおいて使用されるであろうものである）のうちの何らかのものを有さないかもしれない。例えば、タッチスクリーン１１２を有する携帯用電子デバイス３００−１としては、次に列挙するもののうちの１以上のものを有さないかもしれない。電話モジュール１３８、チャートモジュール１４４、描画モジュール３８０、プレゼンテーションモジュール３８２、ワードプロセッシングモジュール３８４、ウェブサイト作成モジュール３８６、およびディスクオーサリングモジュール３８８。
【０１１２】
[00122]次に、携帯用多機能デバイス１００に実装されうるユーザインタフェース（「ＵＩ」）の実施形態に注意を向けよう。
【０１１３】
[00123]図４Ａおよび図４Ｂは、一部の実施形態による、携帯用多機能デバイス１００上のアプリケーションのメニューのための例示的なユーザインタフェースを示す図である。同様のユーザインタフェースがデバイス３００上に実装されてもよい。一部の実施形態では、ユーザインタフェース４００Ａは、以下の要素、またはその部分集合または上位集合を含んでいる。
・例えばセルラーおよびＷｉＦｉ信号のようなワイヤレス通信用の信号強度指標４０２、
・時刻４０４、
・Ｂｌｕｅｔｏｏｔｈ指標４０５、
・電池状態指標４０６、
・以下のような頻繁に使用するアプリケーション用のアイコンを備えたトレイ４０８
・電話１３８、これは、不在着信もしくはボイスメールメッセージの数の指標４１４を含んでいてもよい
・電子メールクライアント１４０、これは未読の電子メールの数の指標４１０を含んでいてもよい
・ブラウザ１４７、
・音楽プレーヤ１４６、および
・その他のアプリケーション用のアイコン、例えば、
・ＩＭ１４１、
・画像管理１４４、
・カメラ１４３、
・ビデオプレーヤ１４５、
・天気１４９−１、
・株式１４９−２、
・エクササイズサポート１４２、
・カレンダ１４８、
・電卓１４９−３、
・アラームクロック１４９−４、
・辞書１４９−５、および
・ユーザ作成によるウィジェット１４９−６。
【０１１４】
[00124]一部の実施形態では、ユーザインタフェース４００Ｂは、以下の要素、またはそれらの部分集合もしくは上位集合を含んでいる。
・上記の４０２、４０４、４０５、４０６、１４１、１４８、１４４、１４３、１４９−３、１４９−２、１４９−１、１４９−４、４１０、４１４、１３８、１４０、および１４７、
・地図１５４、
・メモ１５３、
・設定４１２、これは、以下にさらに述べるように、デバイス１００およびその各種のアプリケーション１３６の設定へのアクセスを提供する
・ビデオおよび音楽プレーヤモジュール１５２、これは、ｉＰｏｄ（Ａｐｐｌｅ  Ｉｎｃ．の登録商標）モジュール１５２とも呼ばれる
・オンラインビデオモジュール１５５、ＹｏｕＴｕｂｅ（Ｇｏｏｇｌｅ  Ｉｎｃ．の登録商標）モジュール１５５とも呼ばれる。
【０１１５】
[00125]図４Ｃは、ディスプレイ４５０（例えばタッチスクリーンディスプレイ１１２）とは別のタッチセンシティブ表面４５１（例えば図３Ａのタブレットまたはタッチパッド３５５）を備えたデバイス（例えば図３Ａのデバイス３００）上の例示的なユーザインタフェースを示す図である。以下に記す例の多くは、（タッチセンシティブ表面とディスプレイとが組み合わされた）タッチスクリーンディスプレイ１１２上の入力に言及しながら与えられるであろうが、一部の実施形態では、デバイスは、図４Ｃに示すように、ディスプレイとは別のタッチセンシティブ表面上の入力を検出する。一部の実施形態では、タッチセンシティブ表面（例えば図４Ｃの４５１）は、ディスプレイ（例えば４５０）上の主軸（例えば図４Ｃの４５３）に対応する主軸（例えば図４Ｃの４５２）を有する。これらの実施形態によれば、デバイスは、タッチセンシティブ表面４５１との接触（例えば図４Ｃの４６０および４６２）を、ディスプレイ上のそれぞれの位置に対応する位置で検出する（例えば図４Ｃでは４６０は４６８に対応し、４６２は４７０に対応する）。このようにして、タッチセンシティブ表面がディスプレイとは別である場合に、タッチセンシティブ表面（例えば図４Ｃの４５１）上でデバイスによって検出されたユーザの入力（例えば接触４６０および４６２、およびそれらの動き）が、多機能デバイスのディスプレイ上のユーザインタフェースを操作するためにデバイスによって用いられる。理解されるべきだが、同様の方法が、本明細書で記述されたその他のユーザインタフェースについて用いられてもよい。
【０１１６】
[00126]加えて、以下に記す例は、主に指入力（例えば指の接触、指のタップジェスチャ、指のスワイプジェスチャ）に言及しながら与えられるであろうが、理解されるべきだが、一部の実施形態では、１つ以上の指入力が、別の入力デバイスからの入力（例えば、マウスに基づく入力またはスタイラス入力）に置換される。例えば、スワイプジェスチャが、（例えば接触の代わりに）マウスのクリックと置換され、続いて、（例えば接触の移動の代わりに）スワイプのパスに沿ってカーソルの移動が行われてもよい。別の例として、タップジェスチャが、（例えば、接触に続いて接触の中止を検出する代わりに）カーソルがタップジェスチャの位置に位置している間のマウスのクリックと置換されてもよい。同様に、複数のユーザ入力が同時に検出される場合、理解されるべきことだが、複数のコンピュータマウスが同時に使用されてもよいし、あるいは、マウスと指の接触とが同時に用いられてもよい。
【０１１７】
[00127]次に、例えばデバイス３００、デバイス３００−１、または携帯用多機能デバイス１００のような、ディスプレイとタッチセンシティブ表面とを持つ多機能デバイスに実装されうるユーザインタフェース（「ＵＩ」）および関連のプロセスの実施形態に注意を向けよう。
【０１１８】
[00128]図５Ａ乃至５Ｓは、一部の実施形態によるナビゲート可能な例示的なユーザインタフェース画面を示す図である。これらの図のユーザインタフェースは、図６Ａ乃至６Ｄの中のプロセスを含めて、以下に記すプロセスを示すのに用いられる。理解されるべきだが、図５Ａ乃至５Ｓは、原寸に比例して描かれてはいない。
【０１１９】
[00129]図５Ａは、デバイス３００−１のタッチスクリーン１１２上に表示されるメインメニュー画面５０２を描いている。メインメニュー画面５０２は、デバイス３００−１のメインメニュー、ホームメニュー、またはルートメニューに対応する。メインメニュー画面５０２は、デバイス３００−１上のアプリケーションおよび／または機能に関連するユーザインタフェース画面へのナビゲーション用の１つ以上のリンク（またはその他のユーザインタフェースオブジェクト、例えばボタン、アイコン等）５０４を含んでいる。例えば、リンク５０４は、「歌」リンク５０４−１、「アルバム」リンク５０４−２、「アーティスト」リンク５０４−３、「ジャンル」リンク５０４−４、「プレイリスト」リンク５０４−５、「動画」リンク５０４−６、「写真」リンク５０４−７、「設定」リンク５０４−８を含んでいる。リンク５０４がユーザによって（例えばユーザがリンク５０４上で或るジェスチャを行うことによって）選択されると、選択されたリンクに対応するユーザインタフェース画面がメインメニュー５０２の代わりに表示される。含まれうるその他のリンクには、いくつか例を挙げるとすれば、「Ｐｏｄｃａｓｔ」リンク、「ＦＭラジオ」リンク、「ゲーム」リンクなどが含まれるけれども、それらに限定されない。
【０１２０】
[00130]また、図５Ａは、「歌」リンク５０４−１上でジェスチャ５０６（例えばタップジェスチャ）が検出されることも描いており、「歌」リンク５０４−１が選択される。「歌」リンク５０４−１上でのジェスチャ５０６の検出に応じて、デバイス３００−１は、図５Ｂに示すように、メインメニュー画面５０２の代わりに歌リスト画面５０８を表示し、デバイス３００−１は、メインメニュー画面５０２から歌リスト画面５０８へとナビゲートする。「歌」リスト画面５０８は、デバイス３００−１の中に記憶されている音声ファイル（例えば歌）を再生するための１つ以上のリンク５１０をリストする。例えば、図５Ｂでは、歌リスト画面５０８は、「歌１」リンク５１０−１、「歌２」リンク５１０−２、「歌３」リンク５１０−３等を含んでいる。デバイス３００−１の中に記憶されている音声ファイルは、アルバム、アーティスト、ジャンル、プレイリスト、またはｐｏｄｃａｓｔショーのうちの１つ以上にグループ化されてもよい。一部の実施形態では、音声ファイルは、音声ファイルに関連するメタデータ（例えば、アーティストメタデータ、アルバムメタデータ等）に基づいてアルバム、アーティスト等にグループ化される。また、歌リスト画面５０８には「戻る」ボタン５０７が表示されており、「戻る」ボタン５０７上でジェスチャ（例えばタップジェスチャ）が検出されるのに応じて直前のユーザインタフェース画面へのナビゲートが行われる。
【０１２１】
[00131]歌リンク５１０が選択されると、選択された歌リンク５１０に対応する音声ファイルの再生が起動され、メディア再生画面が表示される。図５Ｂは、「歌１」リンク５１０−１上でジェスチャ５１２（例えばタップジェスチャ）が検出されることを示しており、「歌１」リンク５１０−１が選択される。「歌１」リンク５１０−１上でのジェスチャ５１２の検出に応じて、「歌１」の再生が起動され、図５Ｃに示すように、「歌１」の再生のためのメディア再生画面５１４が表示される。メディア再生画面５１４は、再生中の音声ファイル（図５Ｃの「歌１」）についての情報、歌の中での再生の時間位置、入手可能であれば「歌１」についてのアルバムアート５１５、再生制御部５１６（例えば再生／一時停止ボタン、次／前のトラックボタン等）、進行バーおよびスクラバー５１７を含んでいてもよい。また、メディア再生画面５１４には「戻る」ボタン５０７が表示されており、「戻る」ボタン５０７上でジェスチャ（例えばタップジェスチャ）が検出されるのに応じて直前のユーザインタフェース画面へのナビゲートが行われる。
【０１２２】
[00132]図５Ａで、ジェスチャ（例えばタップジェスチャ）が「歌」リンク５０４−１の代わりに「アルバム」リンク５０４−２上で検出された（すなわち、メインメニュー５０２の中の「アルバム」リンク５０４−２が選択された）場合、それに応じて、図５Ｄに示すように、アルバムリスト画面５１８が表示され、デバイス３００−１は、メインメニュー画面５０２からアルバムリスト画面５１８へとナビゲートする。アルバムリスト画面５１８は、デバイス３００−１の中に記憶されている音声ファイルが関連付けられている１つ以上のアルバムへのリンク５２０を（例えば、音声ファイルに関連するメタデータに基づいて）リストする。例えば、図５Ｄに、「アルバム」１乃至８へのリンク５２０−１乃至５２０−８を示す。アルバムに関連付けられていない音声ファイルのための「雑多(miscellaneous)」リンクまたはそれに類するものと同様に、アルバムのリンクの表示が、デバイス３００−１の中の音声ファイルに関連付けられているアルバムに依存して増減されてもよい。また、「戻る」ボタン５０７が、アルバムリスト画面５１８にも表示される。
【０１２３】
[00133]アルバムリンク５２０が選択されると、対応するアルバムの中の１つ以上の歌へのリンクが表示される。例えば、図５Ｄでは、ジェスチャ５２２（例えばタップジェスチャ）が「アルバム２」リンク５２０−２上で検出される。「アルバム２」リンク５２０−２上でのジェスチャ５２２の検出に応じて、図５Ｅに示すように、「アルバム２」画面５２４が表示される。「アルバム２」画面５２４には、「アルバム２」に関連する音声ファイルへのリンク５１０が表示される。従って、例えば、「アルバム２」は、「歌」１、４、５、８、９、１０、１４、１７に関連しており、「歌」１、４、５、８、９、１０、１４、１７にそれぞれ対応する歌リンク５１０−１、５１０−４、５１０−５、５１０−８、５１０−９、５１０−１０、５１０−１４、５１０−１７が、「アルバム２」画面５２４に表示される。また、「アルバム２」画面５２４には「戻る」ボタン５０７が表示されており、「戻る」ボタン５０７上でのジェスチャ（例えばタップジェスチャ）の検出に応じて直前のユーザインタフェース画面（この場合、アルバムリスト画面５１８）へのナビゲートが行われる。歌リンク５１０が、対応する音声ファイルの再生を起動するために選択されてもよい。例えば、ジェスチャ５２８が、「歌４」リンク５１０−４上で検出される。図５Ｆに示すように、ジェスチャ５２８の検出に応じて、メディア再生画面５１４が、「歌４」の再生のために表示される。「歌４」のためのメディア再生画面５１４は、利用可能であれば、「歌４」のための、アルバムアート５１５、再生制御部５１６、進行バーおよびスクラバー５１７、「戻る」ボタン５０７を含んでいてもよい。
【０１２４】
[00134]図５Ａで、「歌」リンク５０４−１の代わりに「アーティスト」リンク５０４−３上でジェスチャ（例えばタップジェスチャ）が検出された（すなわち、メインメニュー５０２の中の「アーティスト」リンク５０４−３が選択された）場合、それに応じて、図５Ｇに示すように、アーティストリスト画面５３０が表示され、デバイス３００−１は、メインメニュー５０２からアーティストリスト画面５３０へとナビゲートする。アーティストリスト画面５３０は、デバイス３００−１の中に記憶されている音声ファイルが関連している１つ以上のアーティストへのリンク５３２を（例えば、音声ファイルに関連するメタデータに基づいて）リストする。例えば、図５Ｇに、「アーティスト」１乃至８へのリンク５３２−１乃至５３２−８を示す。アーティストに関連付けられていない音声ファイルのための「雑多(miscellaneous)」リンクまたはそれに類するものと同様に、アーティストのリンクの表示が、デバイス３００−１の中の音声ファイルに関連付けられているアーティストに依存して増減されてもよい。「戻る」ボタン５０７がアルバムリスト画面５３０にも表示される。
【０１２５】
[00135]アーティストリンク５３２が選択されると、対応するアーティストによる１つ以上の歌へのリンクが表示される。例えば、図５Ｇでは、ジェスチャ５３４（例えばタップジェスチャ）が「アーティスト１」リンク５３２−１上で検出される。「アーティスト１」リンク５３２−１上でのジェスチャ５３４の検出に応じて、図５Ｈに示すように、「アーティスト１」画面５３６が表示される。「アーティスト１」画面５３６には、「アーティスト１」に関連する音声ファイルへのリンク５１０が表示される。従って、例えば、「アーティスト１」は、「歌」１、３、６、７、９、１０、１４、１７に関連しており、「歌」１、３、６、７、９、１０、１４、１７にそれぞれ対応する歌リンク５１０−１、５１０−３、５１０−６、５１０−７、５１０−９、５１０−１０、５１０−１４、５１０−１７が、「アーティスト１」画面５３６に表示される。また、「アーティスト１」画面５３６には「戻る」ボタン５０７が表示されており、「戻る」ボタン５０７上でのジェスチャ（例えばタップジェスチャ）の検出に応じて直前のユーザインタフェース画面（この場合、アーティストリスト画面５３０）へのナビゲートが行われる。歌リンク５１０が、対応する音声ファイルの再生を起動するために選択されてもよい。例えば、ジェスチャ５４０が、「歌３」リンク５１０−３上で検出される。図５Ｉに示すように、ジェスチャ５４０の検出に応じて、メディア再生画面５１４が、「歌３」の再生のために表示される。「歌３」のためのメディア再生画面５１４は、利用可能であれば、「歌３」のための、アルバムアート５１５、再生制御部５１６、進行バーおよびスクラバー５１７、「戻る」ボタン５０７を含んでいてもよい。
【０１２６】
[00136]理解されるべきだが、「ジャンル」リンク５０４−４、「プレイリスト」リンク５０４−５、（動画ファイルのための）「動画」リンク５０４−６、（画像のための）「写真」リンク５０４−７、およびｐｏｄｃａｓｔリンク（図示せず）に続く場合、表示されるユーザインタフェース画面とこれらのユーザインタフェース画面のナビゲーションとは、図５Ａ乃至５Ｉに関して上記で述べたものと類似している。同様に、「設定」リンク５０４−８は、デバイス３００−１を構成するための、設定の下位カテゴリ別に分類されるユーザインタフェース画面につながる。
【０１２７】
[00137]図５Ｉの場合のように、「歌３」が再生されている間に、「アーティスト１」画面５３６にナビゲートで戻るために「戻る」ボタン５０７が選択されてもよく、その間、図５Ｊに示すように「歌３」は再生され続ける。「歌３」の再生が進行中であることをユーザに気付かせるために「歌３」リンク５１０−３を用いて「再生中」ラベル５４１が表示される。
【０１２８】
[00138]また、図５Ｊは、タッチスクリーン１１２上でジェスチャ５４２が検出されていることを描いている。ジェスチャ５４２は、２本指ジェスチャであり、ジェスチャ５４２は、２つの同時に起こる指接触５４２−Ａおよび５４２−Ｂを有していて、スワイプまたはドラッグジェスチャの場合、水平方向に指接触５４２−Ａおよび５４２−Ｂの移動５４３−Ａおよび５４３−Ｂをそれぞれ含んでいる。ジェスチャ５４２の検出に応じて、スライドしながら現れたり消えたりするユーザインタフェース画面のアニメーションが表示される。アニメーションの中でスライドしながら現れたり消えたりするように示されるユーザインタフェース画面には、「アーティスト１」画面５３６からメインメニュー画面５０２までのユーザインタフェース画面のナビゲーションのシーケンスにおいて、「アーティスト１」画面５３６とメインメニュー画面５０２とを含めて、それらの間にあるユーザインタフェース画面が、含まれうる。
【０１２９】
[00139]例えば、アニメーションは、図５Ｋに示すように、矢印５４４で示される水平方向にスライドしながら消える「アーティスト１」画面５３６や、スライドしながら現れるアーティストリスト画面５３０を含んでいてもよい。アニメーションは、図５Ｌに示すように、アーティストリスト画面５３０が５４４の方向にスライドしながら消え、メインメニュー画面５０２がスライドしながら現れるように続く。アニメーションは、図５Ｍに示すように、メインメニュー画面５０２がスライドしながら完全に現れてタッチスクリーン１１２上に表示されることで終了する。このようにして、ジェスチャ５４２の検出に応じて、デバイス３００−１は、「アーティスト１」画面５３６の代わりにメインメニュー画面５０２を表示し、さらに、ユーザに文脈を提供する目的で、「アーティスト１」画面５３６からメインメニュー画面５０２へと移行する際にバイパスされたユーザインタフェース画面（例えばアーティストリスト画面５３０）を示すアニメーションを表示してもよい。
【０１３０】
[00140]図５Ｉの場合のように、「歌３」が依然として再生（または一時停止）されている間に、「アーティスト１」画面５３６にナビゲートで戻るために「戻る」ボタン５０７が選択されてもよく、その間、図５Ｊに示すように「歌３」は再生（または一時停止）され続ける。一部の実施形態では、「歌３」の再生が進行中であることをユーザに気付かせるために「歌３」リンク５１０−３を用いて「再生中」ラベル５４１が表示される。図５Ｎに示すように、「歌３」が再生（または一時停止）され続ける間に「アーティスト１」画面５３６からアーティストリスト画面５３０にナビゲートで戻るために、「アーティスト１」画面５３６上の「戻る」ボタン５０７が選択されてもよい。
【０１３１】
[00141]また、図５Ｎは、タッチスクリーン１１２上でジェスチャ５４６が検出されることを描いている。ジェスチャ５４６は、２本指ジェスチャであり、ジェスチャ５４６は、２つの同時に起こる指接触５４６−Ａおよび５４６−Ｂを有していて、スワイプまたはドラッグジェスチャの場合、それぞれ指接触５４６−Ａおよび５４６−Ｂの水平移動５４７−Ａおよび５４７−Ｂを含んでいる。理解されるべきだが、ジェスチャ５４６は、ジェスチャ５４２の逆であり、移動５４３および５４７は、お互いの反対である。ジェスチャ５４６の検出に応じて、スライドしながら現れたり消えたりするユーザインタフェース画面のアニメーションが表示される。アニメーションの中でスライドしながら現れたり消えたりするように示されるユーザインタフェース画面には、「歌３」についてのアーティストリスト画面５３０からメディア再生画面５１４までのユーザインタフェース画面のナビゲーションのシーケンスにおいて、「歌３」についてのアーティストリスト画面５３０とメディア再生画面５１４とを含めて、それらの間にあるユーザインタフェース画面が含まれうる。
【０１３２】
[00142]例えば、アニメーションは、図５Ｏに示すように、矢印５４８で示される方向にスライドしながら消えるアーティストリスト画面５３０や、スライドしながら現れる「アーティスト１」画面５３６を含んでいてもよい。アニメーションは、図５Ｐに示すように、５４８の方向に「歌３」についての「アーティスト１」画面５３６がスライドしながら消え、メディア再生画面５１４がスライドしながら現れるように続く。アニメーションは、図５Ｑに示すように、「歌３」についてのメディア再生画面５１４がスライドしながら完全に現れてタッチスクリーン１１２上に表示されることで終了する。このようにして、ジェスチャ５４６の検出に応じて、デバイス３００−１は、アーティストリスト画面５３０の代わりに「歌３」についてのメディア再生画面５１４を表示し、さらに、「歌３」についてのアーティストリスト画面５３０からメディア再生画面５１４へと移行する際にバイパスされたユーザインタフェース画面（例えば「アーティスト１」画面５３６）を示すアニメーションを表示してもよい。
【０１３３】
[00143]上記の例では、現在の画面とメニュー画面５０２またはメディア再生画面５１４との間にそれぞれあるユーザインタフェース画面の数に関わらず、２本指ジェスチャ５４２および５４６がそれぞれ、メインメニュー画面５０２またはメディア再生画面５１４へのナビゲーションを起動する。メインメニュー画面５０２は、ジェスチャ５４２を検出するのに応じてデバイスがそこにナビゲートするユーザインタフェース画面として事前設定される。同様に、メディア再生画面５１４は、ジェスチャ５４６を検出するのに応じてデバイスがそこにナビゲートするユーザインタフェース画面として事前設定されており、ジェスチャ５４６はジェスチャ５４２の逆である。一部の実施形態では、検出されたジェスチャが、代わりに（例えばスワイプジェスチャまたはドラッグジェスチャであっても１本指だけの接触を用いる）１本指ジェスチャであった場合には、代わりに１つのユーザインタフェース画面だけのナビゲーションが起動される。それゆえ、例えば、図５Ｊでは、検出されたジェスチャが、２本指ジェスチャの代わりに１本指ジェスチャであることを除いてジェスチャ５４２に似たジェスチャである場合には、アーティストリスト画面５３０が表示される。図５Ｋに描かれたアニメーションが表示されてもよいが、アニメ―ションは、さらなるユーザインタフェース画面がスライドしながら消えたり現れたりするのを示し続けるのではなく、アーティストリスト画面５３０が表示されると共に停止する。別の例として、図５Ｎでは、検出されたジェスチャが、２本指ジェスチャの代わりに「アーティスト１」５３２−１に関する１本指ジェスチャであることを除いてジェスチャ５４６に似たジェスチャである場合には、「アーティスト１」画面５３６が表示される。図５Ｏに描かれたアニメーションが表示されてもよいが、アニメ―ションは、さらなるユーザインタフェース画面がスライドしながら消えたり現れたりするのを示し続けるのではなく、「アーティスト１」画面５３６が表示されると共に停止する。このようにして、これらの１本指ジェスチャは、１つのユーザインタフェース画面だけの後方もしくは前方へのナビゲーションを起動する機能を有し、他方、２本指ジェスチャ５４２およびその逆のジェスチャ（２本指ジェスチャ５４６）は、それぞれ事前設定されたユーザインタフェース画面（例えば、それぞれメインメニュー画面５０２およびメディア再生画面５１４）へのナビゲーションを起動する機能を有する。
【０１３４】
[00144]理解されるべきだが、上記の例は、２本指ジェスチャを、事前設定されたユーザインタフェース画面（例えば、メインメニュー画面５０２、メディア再生画面５１４）へのナビゲーションを起動し、１本指ジェスチャを、一度に１つのユーザインタフェース画面（例えば、直前または直後のユーザインタフェース画面）だけのナビゲーションを起動すると記述したけれども、一部の実施形態では、２本指ジェスチャが、一度に１つのユーザインタフェース画面だけのナビゲーションを起動し、１本指ジェスチャが、事前設定されたユーザインタフェース画面へのナビゲーションを起動する。他の一部の実施形態では、事前設定されたユーザインタフェース画面へのナビゲーションを起動するためのジェスチャにおける指の数は、１または２以外の整数、例えば３または４である。さらに、一部の実施形態では、２本指ジェスチャが検出されるタッチスクリーン１１２上の位置は、無関係である。それゆえ、例えば、図５Ｊでは、ジェスチャ５４２は、タッチスクリーン１１２の上部、中央部、下部のいずれで行われてもよく、結果は同じであり、メインメニュー画面５０２が、メインメニュー画面５０２への移行を示すアニメーションと共に表示される。
【０１３５】
[00145]図５Ｒは、タッチスクリーン１１２上に表示された「歌１」のためのメディア再生画面５１４を描いており、「歌１」の再生がデバイス３００−１上で進行中である。「歌１」のためのメディア再生画面５１４は、例えば、図５Ａ乃至５Ｃに描かれているように、メインメニュー画面５０２から歌リスト画面５０８へ、さらにメディア再生画面５１４へのナビゲーションの結果として表示されうる。もう１つの例として、「歌１」のためのメディア再生画面５１４は、図５Ａ、５Ｄ乃至５Ｅに示すように、メインメニュー画面５０２からアルバムリスト画面５１８へ、さらに「アルバム２」画面５２４へのナビゲーションと、「アルバム２」画面５２４における「歌１」リンク５１０−１の選択との結果として表示されうる。別の例として、「歌１」のためのメディア再生画面５１４は、図５Ａ、５Ｇ乃至５Ｈに示すように、メインメニュー画面５０２からアーティストリスト画面５３０へ、さらに「アルバム１」画面５３６へのナビゲーションと、「アルバム１」画面５３６における「歌１」リンク５１０−１の選択との結果として表示されうる。
【０１３６】
[00146]また図５Ｒは、タッチスクリーン１１２上の指ジェスチャ５４２の検出も描いている。ジェスチャ５４２の検出に応じて、図５Ｋ乃至５Ｍに描かれたものに類似したアニメーションが表示され、メディア再生画面５１４とメインメニュー画面５０２との間のユーザインタフェース画面が、順次、スライドしながら消えたり現れたりするようにアニメーションが行われ、図５Ｍの場合のように、メインメニュー画面５０２が表示されることで終了する。一部の実施形態では、アニメーションの中に表示されるユーザインタフェース画面は、メインメニュー画面５０２からメディア再生画面５１４へと到達するためにナビゲーションが経由したユーザインタフェース画面に依存しており、それによってユーザに文脈を提供する。
【０１３７】
[00147]図５Ｓは、歌（例えば、「歌１」等）の再生が進行中である間にタッチスクリーン１１２上に表示されるメインメニュー画面５０２を描いている。メインメニュー画面５０２は、例えば、図５Ａ乃至５Ｃに描かれているように、メインメニュー画面５０２から歌リスト画面５０８へ、さらにメディア再生画面５１４へのナビゲーションがあり、そして、次いで、再生がアクティブである間に、ユーザが、歌リスト画面５０８へ、次いでメインメニュー画面５０２へと（例えば「戻る」ボタン５０７を用いて）ナビゲートで戻った結果として、歌（例えば「歌１」）が再生されている間に表示されてもよい。もう１つの例として、メディア再生画面５１４は、図５Ａ、５Ｄ乃至５Ｅに示すように、メインメニュー画面５０２からアルバムリスト画面５１８へ、さらに「アルバム２」画面５２４へのナビゲーションと、「アルバム２」画面５２４における歌リンク５１０の選択と、の結果として表示されてもよく、次いで、再生がアクティブである間に、メインメニュー画面５０２へと（間にある１つ以上のユーザインタフェース画面を経由して）ナビゲートで戻る。別の例として、「歌１」のためのメディア再生画面５１４は、図５Ａ、５Ｇ乃至５Ｈに示すように、メインメニュー画面５０２からアーティストリスト画面５３０へ、さらに「アーティスト１」画面５３６へのナビゲーションと、「アーティスト１」画面５３６における歌リンク５１０の選択と、の結果として表示されてもよく、次いで、再生がアクティブである間に、メインメニュー画面５０２へと（間にある１つ以上のユーザインタフェース画面を経由して）ナビゲートで戻る。
【０１３８】
[00148]また、図５Ｓは、タッチスクリーン１１２上の指ジェスチャ５４６の検出も描いている。ジェスチャ５４６の検出に応じて、図５Ｏ乃至５Ｑに描かれたものに類似したアニメーションが表示され、メインメニュー画面５０２とメディア再生画面５１４との間のユーザインタフェース画面が、順次、スライドしながら消えたり現れたりするようにアニメーションが行われ、図５Ｑの場合のように、メディア再生画面５１４が表示されることで終了する。一部の実施形態では、アニメーションの中に表示されるユーザインタフェース画面は、メインメニュー画面５０２からメディア再生画面５１４へと到達するためにナビゲーションが経由したユーザインタフェース画面に依存する。
【０１３９】
[00149]一部の実施形態では、メインメニュー画面５０２、メディア再生画面５１４、および図５Ａ乃至５Ｓに関して上述したその他のユーザインタフェース画面は、デバイス３００−１上のユーザインタフェース画面の（例えば、ツリー型データ構造の場合のような）ナビゲーションによる階層の一部である。メインメニュー画面５０２は、階層のルートまたはトップレベルにあり、デバイス３００−１上のその他のユーザインタフェース画面は、メインメニュー画面５０２からメインメニュー画面５０２の中のリンク（例えばリンク５１０）および階層のさらに下方にあるユーザインタフェース画面の中のリンク（例えば歌リンク５１０、アルバムリンク５２０、アーティストリンク５３２）を経由してナビゲート可能である。
【０１４０】
[00150]開始画面から行先画面までのパスまたはナビゲーションのシーケンスに沿った、開始画面と行先画面との間（開始画面と行先画面とを含めない）には、ユーザインタフェース画面が、ゼロであってもよいし、それより多くてもよい。例えば、メインメニュー画面５０２から「歌１」のためのメディア再生画面５１４までは、（例えば図５Ａ乃至５Ｃに示すように）或るパスでは、メインメニュー画面５０２とメディア再生画面５１４との間に歌リスト画面５０８がある。別のパスでは、メインメニュー画面５０２と「歌１」のためのメディア再生画面５１４との間にアーティストリスト画面５３０と「アーティスト１」画面５３６とがある。
【０１４１】
[00151]ジェスチャ５４２または５４６を行うことによって、ユーザは、たった１つのジェスチャを用いて、ユーザインタフェース画面のナビゲーション階層の中のどこからでも、メインメニュー画面５０２または現在再生中の１つのメディアについてのメディア再生画面５１４へとそれぞれナビゲートしうる。より一般的に言うと、お互いの逆であるジェスチャがそれぞれ、ナビゲーションによる階層の両端にある事前設定されたユーザインタフェース画面（例えば、メインメニュー画面５０２およびメディア再生画面５１２のような頻繁にアクセスされる画面）に関連付けられてもよい（例えば、メインメニュー画面５０２はルートレベルにあり、メディア再生画面５１２は、典型的にはリーフ（葉）レベルのユーザインタフェース画面である）。いずれかの単一のジェスチャを行うことによって、ユーザは、個々のジェスチャに関連するユーザインタフェース画面へと素早くナビゲートすることができ、階層の中のいずれかの介在するユーザインタフェース画面を経由してナビゲートするためにさらなるジェスチャを行う必要がない。
【０１４２】
[00152]図６Ａ乃至６Ｄは、一部の実施形態による、ユーザインタフェース画面間をナビゲートする方法６００を示すフロー図である。方法６００は、ディスプレイとタッチセンシティブ表面とを備えた多機能デバイス（例えば、図３Ａのデバイス３００、図３Ｂのデバイス３００−１、または図１の携帯用多機能デバイス１００）で行われる。一部の実施形態では、ディスプレイは、タッチスクリーンであり、タッチセンシティブ表面は、ディスプレイ上にある。一部の実施形態では、ディスプレイは、タッチセンシティブ表面とは別である。方法６００の一部の操作が結合されてもよいし、および／または、一部の操作の順序が変更されてもよい。
【０１４３】
[00153]以下に記すように、方法６００は、例えばホーム画面とメディア再生画面とのような、使用頻度の高い２つのインタフェース画面へとナビゲートするための効率的な方法を提供する。方法は、ユーザインタフェース画面間をナビゲートする場合にユーザにかかる認知上の負担を軽減し、それによって、より効率的なヒューマン・マシン・インタフェースを実現する。電池で動作するコンピューティングデバイスにとって、ユーザがユーザインタフェース画面間をより早くより効率的にナビゲートできるようにすることは、電力を節約し、次回の電池充電までの時間を増加させる。
【０１４４】
[00154]デバイスは、典型的には、複数のユーザインタフェース画面を別個に表示するように構成されたタッチセンシティブディスプレイを有する。本書では、「別個に表示される」とは、ユーザインタフェース画面が（２つ以上の画面がアニメーションによる移行として示されうる、ユーザインタフェース画面間の短い移行の間を除いて）ディスプレイ上に１つずつ表示されることを意味する。複数のユーザインタフェース画面には、第１の事前設定されたユーザインタフェース画面と第２の事前設定されたユーザインタフェース画面とが含まれる。デバイスのユーザは、ユーザインタフェース画面を通してデバイスと対話する。
【０１４５】
[00155]デバイスは、複数のユーザインタフェース画面の中の第３のユーザインタフェース画面を表示し（６０２）、第３のユーザインタフェース画面は、第１の事前設定されたユーザインタフェース画面および第２の事前設定されたユーザインタフェース画面とは異なる。例えば、図５Ａ乃至５Ｃでは、メインメニュー画面５０２は、第１の事前設定されたユーザインタフェース画面であり、メディア再生画面５１４は、第２の事前設定されたユーザインタフェース画面である。図５Ｂでは、第１または第２の事前設定されたユーザインタフェース画面とは異なる第３のユーザインタフェース画面（歌リスト画面５０８）が表示される。もう１つの例として、図５Ｊでは、メインメニュー画面５０２でもメディア再生画面５１４でもない「アーティスト１」画面５３６が表示される。別の例では、図５Ｎには、メインメニュー画面５０２でもメディア再生画面５１４でもないアーティストリスト画面５３０が表示される。
【０１４６】
[00156]一部の実施形態では、第１の事前設定されたユーザインタフェース画面は、ホーム画面（６０４）、例えばメインメニュー画面またはルートメニュー画面である。一部の実施形態では、ホーム画面は、例えば音楽プレーヤのような単一アプリケーションのためのメイン画面であり、単一のアプリケーションの中にはカテゴリの階層構成がある。一部の実施形態では、ホーム画面は、複数のアプリケーションのためのメイン画面（例えば、ユーザによって選択されうる複数のアプリケーションをリストする画面）である。ホーム画面の一例は、図５Ａの中のメインメニュー画面５０２である。
【０１４７】
[00157]一部の実施形態では、第２の事前設定されたユーザインタフェース画面は、メディア再生画面（６０６）、例えば、現在再生中または選択された１つのメディア（例えば音声、動画）の再生を管理するための再生制御部を備えた「再生中」画面である。また、メディア再生画面は、現在再生中または選択された１つのメディアについての情報を表示してもよい。メディア再生画面の一例は、メディア再生画面５１４である。
【０１４８】
[00158]デバイスは、第３のユーザインタフェース画面を表示している間にタッチセンシティブディスプレイ上で指ジェスチャを検出する（６１０）。例えば、図５Ｊでは、「アーティスト１」画面５３６が表示されている間にジェスチャ５４２が検出される。もう１つの例として、図５Ｎでは、アーティストリスト画面５３０が表示されている間にジェスチャ５４６が検出される。
【０１４９】
[00159]タッチセンシティブディスプレイ上で指ジェスチャを検出するのに応じて、デバイスは、検出された指ジェスチャが第１の指ジェスチャである場合、第３のユーザインタフェース画面の表示を第１の事前設定されたユーザインタフェース画面の表示と置換し（６１２）、検出された指ジェスチャが第１の指ジェスチャの逆である第２の指ジェスチャである場合、第３のユーザインタフェース画面の表示を第２の事前設定されたユーザインタフェース画面の表示と置換する（６１４）。例えば、図５Ｊ乃至５Ｍでは、ジェスチャ５４２の検出に応じて、「アーティスト１」画面５３６の表示が、メインメニュー画面５０２の表示と置換される。あるいは、図５Ｎ乃至５Ｑでは、ジェスチャ５４６の検出に応じて、アーティストリスト画面５３０の表示が、メディア再生画面５１４の表示と置換される。理解されるべきだが、ジェスチャ５４６は、ジェスチャ５４２の逆であり、ジェスチャ５４２における移動５４３−Ａおよび５４３−Ｂは、ジェスチャ５４６における移動５４７−Ａおよび５４３−Ｂと逆の方向で行われる。
【０１５０】
[00160]一部の実施形態では、複数のユーザインタフェース画面が階層的に順序付けられていて、１つ以上のユーザインタフェース画面が、第１の事前設定されたユーザインタフェース画面と第２の事前設定されたユーザインタフェース画面との間にある（６０８）。デバイス上の複数のユーザインタフェース画面が、ナビゲーションによる階層を形成し、ここでは、階層を経由したユーザインタフェース画面からユーザインタフェース画面へのナビゲーションは、ルートレベル画面（例えばメインメニュー画面５０２）で開始され、ルートレベルから、１つ以上の下位レベルへと分岐する。第１の事前設定されたユーザインタフェース画面（例えばメインメニュー画面５０２）から第２の事前設定されたユーザインタフェース画面（１つのメディアのためのメディア再生画面５１４）まで、階層を経由したナビゲーションによるパスに沿って、第１および第２の事前設定されたユーザインタフェース画面の間には、それらを含めずに、１つ以上のユーザインタフェース画面がある。例えば、図５Ａ乃至５Ｉでは、メインメニュー画面５０２は、ユーザインタフェース画面の階層の中のルートレベル画面である。メインメニュー画面５０２から、個々のリンク５１０を選択することによって階層の中のさまざまなブランチへとナビゲートすることができる。例えば、図５Ａ乃至５Ｃには、（「歌」リンク５１０−１に対応する）「歌」ブランチを経由するメインメニュー画面５０２から「歌１」のためのメディア再生画面５１４へのパスを描いている。図５Ａ、５Ｄ乃至５Ｆには、（「アルバム」リンク５１０−２に対応する）「アルバム」ブランチを経由するメインメニュー画面５０２から「歌４」のためのメディア再生画面５１４へのパスを描いている。図５Ａ、５Ｇ乃至５Ｉには、（「アーティスト」リンク５１０−３に対応する）「アーティスト」ブランチを経由するメインメニュー画面５０２から「歌３」のためのメディア再生画面５１４へのパスを描いている。これらの例示するパスの各々において、メインメニュー画面５０２とメディア再生画面５１４との間に１つ以上のユーザインタフェース画面（例えば、歌リスト画面５０８、アルバムリスト画面５１８、「アルバム２」画面５２４、アーティストリスト画面５３０、「アーティスト１」画面５３６）がある。
【０１５１】
[00161]一部の実施形態では、タッチセンシティブディスプレイ上で指ジェスチャを検出するのに応じて、デバイスは、検出された指ジェスチャが第１の指ジェスチャおよび第２の指ジェスチャとは異なる第３の指ジェスチャである場合、第３のユーザインタフェース画面の表示を複数のユーザインタフェース画面の中の第４のユーザインタフェース画面の表示と置換し（６１６）、第４のユーザインタフェース画面は、第１の事前設定されたユーザインタフェース画面および第２の事前設定されたユーザインタフェース画面とは異なる。例えば、一部の実施形態では、図５Ｊ乃至５Ｑに関して上述したように、指接触の数を除いてジェスチャ５４２または５４６に似たジェスチャが検出された（例えば、２本の代わりに１本指）場合には、現在表示されているユーザインタフェース画面が、検出されたジェスチャの方向に依存して、直前または直後のユーザインタフェース画面と置換される。他の一部の実施形態では、指接触の数を除いてジェスチャ５４２または５４６に似たジェスチャが検出された（例えば、２本の代わりに１本指）場合には、現在表示されているユーザインタフェース画面が、メインメニュー画面５０２およびメディア再生画面５１４とは異なる、それぞれの１本指ジェスチャに関連する、事前設定されたユーザインタフェース画面と置換される。さらにまた、一部の実施形態では、さらなるジェスチャ（例えば、垂直方向に上向きの２本指のスワイプジェスチャおよび垂直方向に下向きの２本指スワイプジェスチャ、または同じものの１本指バージョン）が、個々の事前設定されたユーザインタフェース画面に関連付けられ、これらのさらなるジェスチャが、検出されたジェスチャに関連する個々のユーザインタフェース画面への直接のナビゲーションを起動する。例えば、２本指上向きジェスチャが、ジャンルのリストの表示を起動し、２本指下向きジェスチャが（例えば、「アルバム」画面５１８の場合のように）アルバムのリストの表示を起動してもよい。一部の実施形態では、１本指および２本指ジェスチャにそれぞれ関連する事前設定されたユーザインタフェース画面は、ユーザがカスタマイズすることができる。もう１つの例では、第３の指ジェスチャは、ユーザインタフェースオブジェクト（例えば、「戻る」ボタン５０７）上に位置するタップジェスチャである。「戻る」ボタン上でのタップジェスチャの検出に応じて、現在表示されているユーザインタフェース画面が、直前のユーザインタフェース画面の表示と置換される。
【０１５２】
[00162]一部の実施形態では、複数のユーザインタフェース画面が階層的に順序付けられていて、１つ以上のユーザインタフェース画面が、第１の事前設定されたユーザインタフェース画面と第２の事前設定されたユーザインタフェース画面との間にあり、第４のユーザインタフェース画面が、複数の階層的に順序付けられたユーザインタフェース画面の中の第３のユーザインタフェース画面に階層的に隣接している（６１８）。一例では、指接触の数を除いて５４２または５４６に似たジェスチャが検出される場合（例えば、２本の代わりに１本指）には、現在表示されているユーザインタフェース画面が、検出されたジェスチャの方向に依存して、直前または直後の（すなわち、ユーザインタフェース画面の階層の中で隣接する）ユーザインタフェース画面と置換される。もう１つの例では、「戻る」ボタン５０７上でタップジェスチャが検出され、それに応じて、現在表示されているユーザインタフェース画面が、直前のユーザインタフェース画面と置換される。
【０１５３】
[00163]一部の実施形態では、第３の指ジェスチャは、Ｍ本指ジェスチャであり、第１の指ジェスチャと第２の指ジェスチャとは、Ｎ本指ジェスチャであり、ここでＭは（例えば１から４までの）整数であり、Ｎは、Ｍ以外の（例えば１から４までの）整数である（６２０）。一部の実施形態では、第３の指ジェスチャは、１本指ジェスチャ（すなわちＭ＝１）であり、第１の指ジェスチャおよび第２の指ジェスチャは２本指ジェスチャ（すなわちＮ＝２）である（６２２）。上記の例の場合のように、第１および第２の指ジェスチャ（例えば、ジェスチャ５４２、５４６）は、特定の数の指接触を有し、第３の指ジェスチャは（例えば、直前または直後のユーザインタフェース画面へナビゲートするためのジェスチャ）、それとは異なる特定の数の指接触を有する。一例では、第１および第２の指ジェスチャ（例えばジェスチャ５４２および５４６）は、２本指ジェスチャ（すなわち、各々が２本の指の接触を有する）であり、第３の指ジェスチャは、１本指ジェスチャ（すなわち、１本の指の接触を有する）である。
【０１５４】
[00164]一部の実施形態では、第１の指ジェスチャは、第１の方向における２本指のスワイプジェスチャであり、第２の指ジェスチャは、第１の方向と逆の方向における２本指のスワイプジェスチャであり、そして、第３の指ジェスチャは、１本指ジェスチャ（例えばタップジェスチャまたはスワイプジェスチャ）である（６２４）。一例では、ジェスチャ５４２（第１の指ジェスチャ）は一方向における２本指のスワイプジェスチャであり、ジェスチャ５４６（第２の指ジェスチャ）は、逆方向における２本指のスワイプジェスチャであり、隣接するユーザインタフェース画面へナビゲートするためのジェスチャは、１本指のジェスチャ（例えば、ジェスチャ５４２または５４６と同じ方向のスワイプジェスチャ、または「戻る」ボタン５０７上のタップジェスチャ）である。
【０１５５】
[00165]一部の実施形態では、第１の指ジェスチャを検出するのに応じて、デバイスは、第３のユーザインタフェース画面から第１の事前設定されたユーザインタフェース画面へと移行する第１のアニメーションを表示する（６２６）。例えば、第３のユーザインタフェース画面が、スライドしながら消え、ホーム画面がディスプレイ上でスライドしながら現れる。一部の実施形態では、第１のアニメーションは、第３のユーザインタフェース画面と第１の事前設定されたユーザインタフェース画面との間の階層的なパスに沿ったユーザインタフェース画面を含んでいる（６２８）。
【０１５６】
[00166]一部の実施形態では、第２の指ジェスチャを検出するのに応じて、デバイスは、第３のユーザインタフェース画面から第２の事前設定されたユーザインタフェース画面へと移行する第２のアニメーションを表示する（６３０）。例えば、第３のユーザインタフェース画面がスライドしながら消え、メディア再生画面がディスプレイ上でスライドしながら現れる。一部の実施形態では、第２のアニメーションは、第３のユーザインタフェース画面と第２の事前設定されたユーザインタフェース画面との間の階層的なパスに沿ったユーザインタフェース画面を含んでいる（６３２）。
【０１５７】
[00167]第１または第２のアニメーションは、第３のユーザインタフェース画面から第１または第２のユーザインタフェース画面へとそれぞれナビゲートする際にバイパスされたユーザインタフェース画面を示してもよい。例えば、図５Ｊ乃至５Ｍでは、「アーティスト１」画面５３６からメインメニュー画面５０２、および、それら２つの間のユーザインタフェース画面（例えばアーティストリスト画面５３０）への移行を示すアニメーションが表示される。もう１つの例として、図５Ｎ乃至５Ｑでは、アーティストリスト画面５３０からメディア再生画面５１４、および、それら２つの間のユーザインタフェース画面（例えば「アーティスト１」画面５３６）への移行を示すアニメーションが表示される。
【０１５８】
[00168]一部の実施形態では、第３の指ジェスチャを検出するのに応じて、デバイスは、第３のユーザインタフェース画面から第４のユーザインタフェース画面へと移行する第２のアニメーションを表示する。それゆえ、アニメーションは、たとえ置換されることになるユーザインタフェース画面と置換するユーザインタフェース画面とが階層の中で隣接している場合であっても、表示されてよい。
【０１５９】
[00169]一部の実施形態では、デバイスは、第１の事前設定されたユーザインタフェース画面を表示し（６３４）、第１の事前設定されたユーザインタフェース画面を表示している間にタッチセンシティブディスプレイ上で第２の指ジェスチャを検出し（６３６）、そして、第１の事前設定されたユーザインタフェース画面を表示している間に第２の指ジェスチャを検出するのに応じて、第１の事前設定されたユーザインタフェース画面の表示を第２の事前設定されたユーザインタフェース画面の表示と置換する（６３８）。例えば、図５Ｓでは、メインメニュー画面５０２が表示されている間にジェスチャ５４６が検出される。ジェスチャ５４６の検出に応じて、メインメニュー画面５０２の表示が、いずれかの現在再生中の１つのメディアについてのメディア再生画面５１４と置換される（あるいは、一部の実施形態では、現在再生中の１つのメディアが存在しない場合、直前に再生された１つのメディアが表示される）。
【０１６０】
[00170]一部の実施形態では、第１の事前設定されたユーザインタフェース画面を表示している間に第２の指ジェスチャを検出するのに応じて、デバイスは、第１の事前設定されたユーザインタフェース画面から第２の事前設定されたユーザインタフェース画面へと移行する第３のアニメーションを表示する（６４０）。一部の実施形態では、第３のアニメーションは、第１の事前設定されたユーザインタフェース画面と第２の事前設定されたユーザインタフェース画面との間の階層的なパスに沿ったユーザインタフェース画面を含んでいる（６４２）。例えば、メインメニュー画面５０２が表示されている間にジェスチャ５４６を検出するのに応じて（図５Ｓ）、メインメニュー画面５０２とメディア再生画面５１４との置換を示す（例えば、ユーザインタフェース画面がスライドしながら消えたり現れたりする）アニメーションが表示される。アニメーションは、メインメニュー画面５０２とメディア再生画面５１４との間にある、それら２つの間の階層的なパスに沿ったユーザインタフェース画面（実際のパスに依存して、歌リスト画面５０８、「アーティスト１」画面５３６等）を含んでいてもよい。
【０１６１】
[00171]一部の実施形態では、第２の事前設定されたユーザインタフェース画面が表示されている時に第２の指ジェスチャが検出された場合、第２の事前設定されたユーザインタフェース画面の代わりに第３の事前設定されたユーザインタフェース画面が表示される。例えば、メディア再生画面５１４が表示されている時にジェスチャ５４６が検出された場合、メディア再生画面５１４の表示は、例えば、現在再生中の歌が属しているアルバムの中の歌のリストの表示と（例えば、「アルバム２」の画面５２４の場合のように）置換される。一部の実施形態では、第２の事前設定されたユーザインタフェース画面が表示されている時に第２の指ジェスチャが検出された場合、第２の指ジェスチャは無視される。
【０１６２】
[00172]一部の実施形態では、デバイスは、第２の事前設定されたユーザインタフェース画面を表示し（６４４）、第２の事前設定されたユーザインタフェース画面を表示している間にタッチセンシティブディスプレイ上で第１の指ジェスチャを検出し（６４６）、そして、第２の事前設定されたユーザインタフェース画面を表示している間に第１の指ジェスチャを検出するのに応じて、第２の事前設定されたユーザインタフェース画面の表示を第１の事前設定されたユーザインタフェース画面の表示と置換する（６４８）。例えば、図５Ｒでは、メディア再生画面５１４が表示されている間にジェスチャ５４２が検出される。ジェスチャ５４２の検出に応じて、メディア再生画面５１４の表示がメインメニュー画面５２０と置換される。
【０１６３】
[00173]一部の実施形態では、第１の事前設定されたユーザインタフェース画面が表示されている時に第１の指ジェスチャが検出された場合、第１の事前設定されたユーザインタフェース画面の代わりに第４の事前設定されたユーザインタフェース画面が表示される。例えば、メインメニュー画面５０２が表示されている時にジェスチャ５４２が表示された場合、メインメニュー画面５０２の表示が、例えば、時計を示すユーザインタフェース画面の表示、またはメインメニュー画面５０２をカスタマイズするためのオプション（例えば、特注の壁紙、設定、等）を示すユーザインタフェース画面の表示と置換される。一部の実施形態では、第１の事前設定されたユーザインタフェース画面が表示されている時に第１の指ジェスチャが検出された場合、ジェスチャは無視される。
【０１６４】
[00174]一部の実施形態では、第２の事前設定されたユーザインタフェース画面が表示されている間に第１の指ジェスチャを検出するのに応じて、デバイスは、第２の事前設定されたユーザインタフェース画面から第１の事前設定されたユーザインタフェース画面へと移行する第４のアニメーションを表示する（６５０）。一部の実施形態では、第４のアニメーションは、第２の事前設定されたユーザインタフェース画面と第１の事前設定されたユーザインタフェース画面との間の階層的なパスに沿ったユーザインタフェース画面を含んでいる（６５２）。例えば、メディア再生画面５１４が表示されている間にジェスチャ５４２を検出するのに応じて（図５Ｒ）、メディア再生画面５１４とメインメニュー画面５０２との置換を示すアニメーション（例えば、ユーザインタフェース画面がスライドしながら消えたり現れたりする）が表示される。アニメーションは、メインメニュー画面５０２とメディア再生画面５１４との間にある、それら２つの間の階層的なパスに沿ったユーザインタフェース画面（実際のパスに依存して、歌リスト画面５０８、「アーティスト１」画面５３６等）を含んでいてもよい。
【０１６５】
[00175]一部の実施形態によれば、図７は、上記のような本発明の原理に従って構成された電子デバイス７００の機能ブロック図である。デバイスの機能ブロックは、本発明の原理を実行するため、ハードウェア、ソフトウェア、または、ハードウェアとソフトウェアとの組み合わせによって実行されてもよい。当業者なら理解することだが、図７に記述された各機能ブロックは、上記の本発明の原理を実装するため、組み合わされてもよいし、サブブロックへと分けられてもよい。従って、本書の記述は、本書で記述された各機能ブロックのいずれかのありうる組み合わせまたは分離または別の定義をサポートしうる。
【０１６６】
[00176]図７に示すように、電子デバイス７００が、第１の事前設定されたユーザインタフェース画面と第２の事前設定されたユーザインタフェース画面とを含めて複数のユーザインタフェース画面を別個に表示して指ジェスチャを受信するように構成されたタッチセンシティブディスプレイユニット７０２と、タッチセンシティブディスプレイユニット７０２に接続している処理ユニット７０６とを含んでいる。一部の実施形態では、処理ユニット７０６は、検出ユニット７０８と、置換ユニット７１０と、表示有効化ユニット７１２とを含んでいる。
【０１６７】
[00177]処理ユニット７０６は、複数のユーザインタフェース画面の中で第１の事前設定されたユーザインタフェース画面とも第２の事前設定されたユーザインタフェース画面とも異なる第３のユーザインタフェース画面の表示を有効化し、第３のユーザインタフェース画面を表示している間にタッチセンシティブディスプレイユニット７０２上で指ジェスチャを（例えば検出ユニット７０８を使って）検出し、そして、タッチセンシティブディスプレイユニット７０２上で指ジェスチャを検出するのに応じて、検出された指ジェスチャが第１の指ジェスチャである時には第３のユーザインタフェース画面の表示を第１の事前設定されたユーザインタフェース画面の表示と（例えば置換ユニット７１０を使って）置換し、そして、検出された指ジェスチャが、第１の指ジェスチャの逆である第２の指ジェスチャである時には第３のユーザインタフェース画面の表示を第２の事前設定されたユーザインタフェース画面の表示と（例えば置換ユニット７１０を使って）置換するように構成される。
【０１６８】
[00178]一部の実施形態では、第１の事前設定されたユーザインタフェース画面は、ホーム画面である。
【０１６９】
[00179]一部の実施形態では、第２の事前設定されたユーザインタフェース画面は、メディア再生画面である。
【０１７０】
[00180]一部の実施形態では、複数のユーザインタフェース画面が階層的に順序付けられていて、１つ以上のユーザインタフェース画面が、第１の事前設定されたユーザインタフェース画面と第２の事前設定されたユーザインタフェース画面との間にある。
【０１７１】
[00181]一部の実施形態では、処理ユニット７０６は、タッチセンシティブディスプレイユニット７０２上で指ジェスチャを検出するのに応じて、検出された指ジェスチャが第１の指ジェスチャとも第２の指ジェスチャとも異なる第３の指ジェスチャである場合、第３のユーザインタフェース画面の表示を複数のユーザインタフェース画面の中の第４のユーザインタフェース画面の表示と（例えば置換ユニット７１０を使って）置換するように構成され、ここで、第４のユーザインタフェース画面は、第１の事前設定されたユーザインタフェース画面および第２の事前設定されたユーザインタフェース画面とは異なる。
【０１７２】
[00182]一部の実施形態では、複数のユーザインタフェース画面が階層的に順序付けられていて、１つ以上のユーザインタフェース画面が、第１の事前設定されたユーザインタフェース画面と第２の事前設定されたユーザインタフェース画面との間にあり、第４のユーザインタフェース画面が、複数の階層的に順序付けられたユーザインタフェース画面の中の階層的に第３のユーザインタフェース画面に隣接している。
【０１７３】
[00183]一部の実施形態では、第３の指ジェスチャはＭ本指ジェスチャであり、第１の指ジェスチャと第２の指ジェスチャとはＮ本指ジェスチャであり、ここでＭは整数であって、Ｎは、Ｍ以外の整数である。
【０１７４】
[00184]一部の実施形態では、第３の指ジェスチャは１本指のジェスチャであり、第１の指ジェスチャと第２の指ジェスチャとは２本指ジェスチャである。
【０１７５】
[00185]一部の実施形態では、第１の指ジェスチャは第１の方向における２本指のスワイプジェスチャであり、第２の指ジェスチャは第１の方向と逆の方向における２本指のスワイプジェスチャであり、そして、第３の指ジェスチャは１本指ジェスチャである。
【０１７６】
[00186]一部の実施形態では、処理ユニット７０６は、第１の指ジェスチャを検出するのに応じて、第３のユーザインタフェース画面から第１の事前設定されたユーザインタフェース画面へと移行する第１のアニメーションの表示を（例えば表示有効化ユニット７１２を使って）可能にし、そして、第２の指ジェスチャを検出するのに応じて、第３のユーザインタフェース画面から第２の事前設定されたユーザインタフェース画面へと移行する第２のアニメーションの表示を（例えば表示有効化ユニット７１２を使って）可能にするように構成される。
【０１７７】
[00187]一部の実施形態では、第１のアニメーションは、第３のユーザインタフェース画面と第１の事前設定されたユーザインタフェース画面との間の階層的なパスに沿ったユーザインタフェース画面を含んでおり、そして第２のアニメーションは、第３のユーザインタフェース画面と第２の事前設定されたユーザインタフェース画面との間の階層的なパスに沿ったユーザインタフェース画面を含んでいる。
【０１７８】
[00188]一部の実施形態では、処理ユニット７０６は、第１の事前設定されたユーザインタフェース画面の表示を（例えば表示有効化ユニット７１２を使って）可能にし、第１の事前設定されたユーザインタフェース画面を表示している間にタッチセンシティブディスプレイユニット７０２上で第２の指ジェスチャを（例えば検出ユニット７０８を使って）検出し、そして、第１の事前設定されたユーザインタフェース画面を表示している間に第２の指ジェスチャを検出するのに応じて、第１の事前設定されたユーザインタフェース画面の表示を第２の事前設定されたユーザインタフェース画面の表示と（例えば置換ユニット７１０を使って）置換するように構成される。
【０１７９】
[00189]一部の実施形態では、処理ユニット７０６は、第１の事前設定されたユーザインタフェース画面を表示している間に第２の指ジェスチャを検出するのに応じて、第１の事前設定されたユーザインタフェース画面から第２の事前設定されたユーザインタフェース画面へと移行する第３のアニメーションの表示を（例えば表示有効化ユニット７１２を使って）可能にするように構成される。
【０１８０】
[00190]一部の実施形態では、第３のアニメーションは、第１の事前設定されたユーザインタフェース画面と第２の事前設定されたユーザインタフェース画面との間の階層的なパスに沿ったユーザインタフェース画面を含んでいる。
【０１８１】
[00191]一部の実施形態では、処理ユニット７０６は、第２の事前設定されたユーザインタフェース画面の表示を（例えば表示有効化ユニット７１２を使って）可能にし、第２の事前設定されたユーザインタフェース画面を表示している間にタッチセンシティブディスプレイユニット７０２上の第１の指ジェスチャを（例えば検出ユニット７０８を使って）検出し、そして、第２の事前設定されたユーザインタフェース画面を表示している間に第１の指ジェスチャを検出するのに応じて、第２の事前設定されたユーザインタフェース画面を第１の事前設定されたユーザインタフェース画面と（例えば置換ユニット７１０を使って）置換するように構成される。
【０１８２】
[00192]一部の実施形態では、処理ユニット７０６は、第２の事前設定されたユーザインタフェース画面を表示している間に第１の指ジェスチャを検出するのに応じて、第２の事前設定されたユーザインタフェース画面から第１の事前設定されたユーザインタフェース画面へと移行する第４のアニメーションの表示を（例えば表示有効化ユニット７１２を使って）可能にするように構成される。
【０１８３】
[00193]一部の実施形態では、第４のアニメーションは、第２の事前設定されたユーザインタフェース画面と第１の事前設定されたユーザインタフェース画面との間の階層的なパスに沿ったユーザインタフェース画面を含んでいる。
【０１８４】
[00194]上記の情報処理方法の中の操作は、汎用プロセッサまたは特定用途チップのような情報処理装置の中の１つ以上の機能モジュールを実行することによって実装されてもよい。（例えば、図１Ａ、１Ｂ、３Ａ、３Ｂ、７に関して上述した）これらのモジュール、これらのモジュールの組み合わせ、および／または、一般的なハードウェアとそれらとの組み合わせはすべて、本発明の保護の範囲内に含まれる。
【０１８５】
[00195]図６Ａ乃至６Ｄに関して上述した操作は、図１Ａ乃至１Ｃの中に描いた構成要素によって実装されてもよい。例えば、検出操作６１０ならびに置換操作６１２および６１４は、イベントソータ１７０、イベントレコグナイザ１８０、イベントハンドラ１９０によって実装されてもよい。イベントソータ１７０の中のイベントモニタ１７１は、タッチセンシティブディスプレイ１１２上の接触を検出し、イベント発送モジュール１７４は、イベント情報をアプリケーション１３６−１に配信する。アプリケーション１３６−１の個々のイベントレコグナイザ１８０は、イベント情報を個々のイベント定義１８６と比較し、タッチセンシティブ表面上の第１の位置が、例えばユーザインタフェース上のオブジェクトの選択のような、事前設定されたイベントまたはサブイベントに対応するかどうかを判定する。個々の事前設定されたイベントまたはサブイベントが検出されると、イベントレコグナイザ１８０は、イベントまたはサブイベントの検出に関連するイベントハンドラ１９０を起動する。イベントハンドラ１９０は、データ更新器１７６か、オブジェクト更新器１７７かまたはＧＵＩ更新器１７８を利用するかまたは呼び出して、アプリケーション内部状態１９２を更新してもよい。一部の実施形態では、イベントハンドラ１９０は、アプリケーションによって表示されているものを更新するために個々のＧＵＩ更新器１７８にアクセスする。同様に、他のプロセスが図１Ａ乃至１Ｃに描かれた構成要素に基づいてどのように実装されうるかは、当業者には明らかであろう。
【０１８６】
[00196]説明のための前述の記述は、特定の実施形態に関して記述してきた。しかし、上記の例示的議論は、網羅的であることも、開示されたのと違わぬ形態に本発明を限定することも、意図されていない。上記の教示内容に照らして、多くの修正形態および変形形態が可能である。実施形態は、本発明の原理を最も良く説明し、それによって当業者が本発明と、意図された個別の用途に適した各種の修正を伴う各種の実施形態とを最も良く利用できるようにすることを目的として選ばれ、記述されてきた。
【図１Ａ】
2013535719.tif 000003
【図１Ｂ】
2013535719.tif 000004
【図１Ｃ】
2013535719.tif 000005
【図２】
2013535719.tif 000006
【図３Ａ】
2013535719.tif 000007
【図３Ｂ】
2013535719.tif 000008
【図４Ａ】
2013535719.tif 000009
【図４Ｂ】
2013535719.tif 000010
【図４Ｃ】
2013535719.tif 000011
【図５Ａ】
2013535719.tif 000012
【図５Ｂ】
2013535719.tif 000013
【図５Ｃ】
2013535719.tif 000014
【図５Ｄ】
2013535719.tif 000015
【図５Ｅ】
2013535719.tif 000016
【図５Ｆ】
2013535719.tif 000017
【図５Ｇ】
2013535719.tif 000018
【図５Ｈ】
2013535719.tif 000019
【図５Ｉ】
2013535719.tif 000020
【図５Ｊ】
2013535719.tif 000021
【図５Ｋ】
2013535719.tif 000022
【図５Ｌ】
2013535719.tif 000023
【図５Ｍ】
2013535719.tif 000024
【図５Ｎ】
2013535719.tif 000025
【図５Ｏ】
2013535719.tif 000026
【図５Ｐ】
2013535719.tif 000027
【図５Ｑ】
2013535719.tif 000028
【図５Ｒ】
2013535719.tif 000029
【図５Ｓ】
2013535719.tif 000030
【図６Ａ】
2013535719.tif 000031
【図６Ｂ】
2013535719.tif 000032
【図６Ｃ】
2013535719.tif 000033
【図６Ｄ】
2013535719.tif 000034
【図７】
2013535719.tif 000035
【手続補正書】
【提出日】平成25年2月25日(2013.2.25)
【手続補正１】
【補正対象書類名】特許請求の範囲
【補正対象項目名】全文
【補正方法】変更
【補正の内容】
【特許請求の範囲】
【請求項１】
携帯用電子デバイスであって、
第１の事前設定されたユーザインタフェース画面と第２の事前設定されたユーザインタフェース画面とを含む複数のユーザインタフェース画面を個別に表示するように構成されたタッチセンシティブディスプレイと、
１以上のプロセッサと、
メモリと、
前記メモリに格納され前記１以上のプロセッサによって実行されるように構成された１以上のプログラムと、
を備え、
前記１以上のプログラムは、
前記複数のユーザインタフェース画面の中の第３のユーザインタフェース画面を表示する命令であって、前記第３のユーザインタフェース画面は、前記第１の事前設定されたユーザインタフェース画面及び前記第２の事前設定されたユーザインタフェース画面とは異なる、命令と、
前記第３のユーザインタフェース画面を表示している間に前記タッチセンシティブディスプレイ上で指ジェスチャを検出する命令と、
前記タッチセンシティブディスプレイ上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換し、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する
命令と、
を含む
ことを特徴とする携帯用電子デバイス。
【請求項２】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にある
ことを特徴とする請求項１に記載の携帯用電子デバイス。
【請求項３】
前記タッチセンシティブディスプレイ上で前記指ジェスチャを検出するのに応じて、前記検出された指ジェスチャが前記第１の指ジェスチャ及び前記第２の指ジェスチャとは異なる第３の指ジェスチャである場合、前記第３のユーザインタフェース画面の表示を前記複数のユーザインタフェース画面の中の第４のユーザインタフェース画面の表示で置換する命令であって、前記第４のユーザインタフェース画面は、前記第１の事前設定されたユーザインタフェース画面及び前記第２の事前設定されたユーザインタフェース画面とは異なる、命令を含む
ことを特徴とする請求項１に記載の携帯用電子デバイス。
【請求項４】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にあり、
前記第４のユーザインタフェース画面は、前記複数の階層的に順序付けられたユーザインタフェース画面の中の前記第３のユーザインタフェース画面に階層的に隣接している
ことを特徴とする請求項３に記載の携帯用電子デバイス。
【請求項５】
前記第３の指ジェスチャは、Ｍ本指ジェスチャであり、前記第１の指ジェスチャ及び前記第２の指ジェスチャは、Ｎ本指ジェスチャであり、Ｍは整数であり、Ｎは、Ｍ以外の整数である
ことを特徴とする請求項３に記載の携帯用電子デバイス。
【請求項６】
前記第１の事前設定されたユーザインタフェース画面を表示する命令と、
前記第１の事前設定されたユーザインタフェース画面を表示している間に前記タッチセンシティブディスプレイ上で前記第２の指ジェスチャを検出する命令と、
前記第１の事前設定されたユーザインタフェース画面を表示している間に前記第２の指ジェスチャを検出するのに応じて、前記第１の事前設定されたユーザインタフェース画面の表示を前記第２の事前設定されたユーザインタフェース画面の表示で置換する命令と、
を含むことを特徴とする請求項１に記載の携帯用電子デバイス。
【請求項７】
前記第２の事前設定されたユーザインタフェース画面を表示する命令と、
前記第２の事前設定されたユーザインタフェース画面を表示している間に前記タッチセンシティブディスプレイ上で前記第１の指ジェスチャを検出する命令と、
前記第２の事前設定されたユーザインタフェース画面を表示している間に前記第１の指ジェスチャを検出するのに応じて、前記第２の事前設定されたユーザインタフェース画面の表示を前記第１の事前設定されたユーザインタフェース画面の表示で置換する命令と、
を含むことを特徴とする請求項１に記載の携帯用電子デバイス。
【請求項８】
第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスにおいて、
前記複数のユーザインタフェース画面の中の第３のユーザインタフェース画面を表示するステップであって、前記第３のユーザインタフェース画面は、前記第１の事前設定されたユーザインタフェース画面及び前記第２の事前設定されたユーザインタフェース画面とは異なる、ステップと、
前記第３のユーザインタフェース画面を表示している間に前記タッチセンシティブディスプレイ上で指ジェスチャを検出するステップと、
前記タッチセンシティブディスプレイ上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換し、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換する
ステップと、
を備えることを特徴とする方法。
【請求項９】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にある
ことを特徴とする請求項８に記載の方法。
【請求項１０】
前記タッチセンシティブディスプレイ上で前記指ジェスチャを検出するのに応じて、前記検出された指ジェスチャが前記第１の指ジェスチャ及び前記第２の指ジェスチャとは異なる第３の指ジェスチャである場合、前記第３のユーザインタフェース画面の表示を前記複数のユーザインタフェース画面の中の第４のユーザインタフェース画面の表示で置換するステップであって、前記第４のユーザインタフェース画面は、前記第１の事前設定されたユーザインタフェース画面及び前記第２の事前設定されたユーザインタフェース画面とは異なる、ステップを備える
ことを特徴とする請求項８に記載の方法。
【請求項１１】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にあり、
前記第４のユーザインタフェース画面は、前記複数の階層的に順序付けられたユーザインタフェース画面の中の前記第３のユーザインタフェース画面に階層的に隣接している
ことを特徴とする請求項１０に記載の方法。
【請求項１２】
前記第３の指ジェスチャは、Ｍ本指ジェスチャであり、前記第１の指ジェスチャ及び前記第２の指ジェスチャは、Ｎ本指ジェスチャであり、Ｍは整数であり、Ｎは、Ｍ以外の整数である
ことを特徴とする請求項１０に記載の方法。
【請求項１３】
前記第１の事前設定されたユーザインタフェース画面を表示するステップと、
前記第１の事前設定されたユーザインタフェース画面を表示している間に前記タッチセンシティブディスプレイ上で前記第２の指ジェスチャを検出するステップと、
前記第１の事前設定されたユーザインタフェース画面を表示している間に前記第２の指ジェスチャを検出するのに応じて、前記第１の事前設定されたユーザインタフェース画面の表示を前記第２の事前設定されたユーザインタフェース画面の表示で置換するステップと、
を備えることを特徴とする請求項８に記載の方法。
【請求項１４】
前記第２の事前設定されたユーザインタフェース画面を表示するステップと、
前記第２の事前設定されたユーザインタフェース画面を表示している間に前記タッチセンシティブディスプレイ上で前記第１の指ジェスチャを検出するステップと、
前記第２の事前設定されたユーザインタフェース画面を表示している間に前記第１の指ジェスチャを検出するのに応じて、前記第２の事前設定されたユーザインタフェース画面の表示を前記第１の事前設定されたユーザインタフェース画面の表示で置換するステップと、
を備えることを特徴とする請求項８に記載の方法。
【請求項１５】
１以上のプログラムを格納したコンピュータ可読記録媒体であって、前記１以上のプログラムは、第１の事前設定されたユーザインタフェース画面と第２の事前設定されたユーザインタフェース画面とを含む複数のユーザインタフェース画面を個別に表示するように構成されたタッチセンシティブディスプレイを備える携帯用電子デバイスによって実行された場合に、前記携帯用電子デバイスに、
前記複数のユーザインタフェース画面の中の第３のユーザインタフェース画面を表示させる命令であって、前記第３のユーザインタフェース画面は、前記第１の事前設定されたユーザインタフェース画面及び前記第２の事前設定されたユーザインタフェース画面とは異なる、命令と、
前記第３のユーザインタフェース画面を表示している間に前記タッチセンシティブディスプレイ上で指ジェスチャを検出させる命令と、
前記タッチセンシティブディスプレイ上で前記指ジェスチャを検出するのに応じて、
前記検出された指ジェスチャが第１の指ジェスチャである場合、前記第３のユーザインタフェース画面の表示を前記第１の事前設定されたユーザインタフェース画面の表示で置換させ、
前記検出された指ジェスチャが前記第１の指ジェスチャの逆である第２の指ジェスチャである場合、前記第３のユーザインタフェース画面の表示を前記第２の事前設定されたユーザインタフェース画面の表示で置換させる
命令と、
を含む
ことを特徴とするコンピュータ可読記録媒体。
【請求項１６】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にある
ことを特徴とする請求項１５に記載のコンピュータ可読記録媒体。
【請求項１７】
前記携帯用電子デバイスによって実行された場合に、前記携帯用電子デバイスに、前記タッチセンシティブディスプレイ上で前記指ジェスチャを検出するのに応じて、前記検出された指ジェスチャが前記第１の指ジェスチャ及び前記第２の指ジェスチャとは異なる第３の指ジェスチャである場合、前記第３のユーザインタフェース画面の表示を前記複数のユーザインタフェース画面の中の第４のユーザインタフェース画面の表示で置換させる命令であって、前記第４のユーザインタフェース画面は、前記第１の事前設定されたユーザインタフェース画面及び前記第２の事前設定されたユーザインタフェース画面とは異なる、命令を含む
ことを特徴とする請求項１５に記載のコンピュータ可読記録媒体。
【請求項１８】
前記複数のユーザインタフェース画面が階層的に順序付けられていて、１以上のユーザインタフェース画面が、前記第１の事前設定されたユーザインタフェース画面と前記第２の事前設定されたユーザインタフェース画面との間にあり、
前記第４のユーザインタフェース画面は、前記複数の階層的に順序付けられたユーザインタフェース画面の中の前記第３のユーザインタフェース画面に階層的に隣接している
ことを特徴とする請求項１７に記載のコンピュータ可読記録媒体。
【請求項１９】
前記第３の指ジェスチャは、Ｍ本指ジェスチャであり、前記第１の指ジェスチャ及び前記第２の指ジェスチャは、Ｎ本指ジェスチャであり、Ｍは整数であり、Ｎは、Ｍ以外の整数である
ことを特徴とする請求項１７に記載のコンピュータ可読記録媒体。
【請求項２０】
前記携帯用電子デバイスによって実行された場合に、前記携帯用電子デバイスに、
前記第１の事前設定されたユーザインタフェース画面を表示させる命令と、
前記第１の事前設定されたユーザインタフェース画面を表示している間に前記タッチセンシティブディスプレイ上で前記第２の指ジェスチャを検出させる命令と、
前記第１の事前設定されたユーザインタフェース画面を表示している間に前記第２の指ジェスチャを検出するのに応じて、前記第１の事前設定されたユーザインタフェース画面の表示を前記第２の事前設定されたユーザインタフェース画面の表示で置換させる命令と、
を含むことを特徴とする請求項１５に記載のコンピュータ可読記録媒体。
【請求項２１】
前記携帯用電子デバイスによって実行された場合に、前記携帯用電子デバイスに、
前記第２の事前設定されたユーザインタフェース画面を表示させる命令と、
前記第２の事前設定されたユーザインタフェース画面を表示している間に前記タッチセンシティブディスプレイ上で前記第１の指ジェスチャを検出させる命令と、
前記第２の事前設定されたユーザインタフェース画面を表示している間に前記第１の指ジェスチャを検出するのに応じて、前記第２の事前設定されたユーザインタフェース画面の表示を前記第１の事前設定されたユーザインタフェース画面の表示で置換させる命令と、
を含むことを特徴とする請求項１５に記載のコンピュータ可読記録媒体。
【国際調査報告】
2013535719.tif 000036
2013535719.tif 000037
2013535719.tif 000038